(57)【要約】      （修正有）【課題】情報処理装置の本体ケースとは非接触にクリック又はキー操作又はポインティングデバイスとしての動作を行うことができ、かつより一層の小型化を可能とした情報処理装置を提供する。【解決手段】親指以外の指で操作するキーと、親指に装着される装着具の上下方向及び／又は水平方向への移動を検出する指動作検出手段と、指動作検出手段で検出された親指の動作信号を基に親指の左右いずれかまたは両方の親指の上下動、空間座標位置、移動距離及び移動方向のいずれか少なくとも一つを演算する演算手段と、演算手段の演算結果に基づきキー操作及びクリック操作を含むポインティングデバイスとしての操作のいずれか少なくとも一つを判断するクリック等判断手段とを備える。【選択図】図４６
2011175671.tif 000002
【特許請求の範囲】
【請求項１】
親指以外の指で操作するキーが表面に配置された本体ケースと、
該本体ケース側壁と操作者の前方との間に形成された空間と、
親指に装着される装着具と、
該装着具に配設され、前記空間内で該装着具が上下方向に移動されたことを検出及び／又は前記空間内で該装着具の水平移動を検出する指動作検出手段と、
該指動作検出手段で検出された前記親指の動作信号を基に左右いずれかまたは両方の親指の上下動、空間座標位置、移動距離及び移動方向のいずれか少なくとも一つを演算する演算手段と、
該演算手段で演算した結果に基づきキー操作、及び、クリック操作を含むポインティングデバイスとしての操作のいずれか少なくとも一つを判断するクリック等判断手段とを備えたことを特徴とする情報処理装置。
【発明の詳細な説明】
【技術分野】
【０００１】
本発明は情報処理装置に係わり、特に情報処理装置の本体ケースとは非接触にクリック又はキー操作又はポインティングデバイスとしての動作を行うことができ、かつより一層の小型化を可能とした情報処理装置に関する。
【背景技術】
【０００２】
近年、携帯電話の普及は目覚ましい。そして、携帯電話にて電子メール等も頻繁に利用されている。一方、パソコンとしての機能を備える移動情報処理端末も小型化してきている。
【発明の概要】
【発明が解決しようとする課題】
【０００３】
ところで、従来の携帯電話では電子メール等の文字入力をする場合には、パソコン等とキー配列や文字入力方法が異なるため、覚えるのに時間を要し、また入力に際しても時間を要している。
【０００４】
また、移動情報処理端末でキーボードをＪＩＳ配列等により構成する場合には、デスクトップ型パソコン等の配列をできるだけそのまま維持しようとするためキー自体を小さく全体の密度を高く構成している。従って、両手の指が各キーの所定位置に置かれず、ブラインドタッチが全くできない。このため、目でキーと画面の両方を追うといった効率の悪いキー操作にならざるを得ない。
【０００５】
更に、ＪＩＳ配列のフルサイズキーを適用したキーボードを備えるパソコンは従来携帯用として小型にするのには限界があった。
【０００６】
本発明はこのような従来の課題に鑑みてなされたもので、情報処理装置の本体ケースとは非接触にクリック又はキー操作又はポインティングデバイスとしての動作を行うことができ、かつより一層の小型化を可能とした情報処理装置を提供することを目的とする。
【課題を解決するための手段】
【０００７】
このため本発明は、親指以外の指で操作するキーが表面に配置された本体ケースと、該本体ケース側壁と操作者の前方との間に形成された空間と、親指に装着される装着具と、該装着具に配設され、前記空間内で該装着具が上下方向に移動されたことを検出及び／又は前記空間内で該装着具の水平移動を検出する指動作検出手段と、該指動作検出手段で検出された前記親指の動作信号を基に左右いずれかまたは両方の親指の上下動、空間座標位置、移動距離及び移動方向のいずれか少なくとも一つを演算する演算手段と、該演算手段で演算した結果に基づきキー操作、及び、クリック操作を含むポインティングデバイスとしての操作のいずれか少なくとも一つを判断するクリック等判断手段とを備えて構成した。
また、本発明は、親指以外の指で操作するキーが表面に配置された本体ケースと、該本体ケース側壁と操作者の前方との間に形成されたキー若しくはポインティングデバイスを有しない空間と、該空間内で動作される右手親指若しくは左手親指の動作を非接触に検出する指動作検出手段と、該指動作検出手段で検出された前記親指の動作信号を基に左右いずれかまたは両方の親指の上下動、空間座標位置、移動距離及び移動方向のいずれか少なくとも一つを演算する演算手段と、該演算手段で演算した結果に基づきキー操作、及び、クリック操作を含むポインティングデバイスとしての操作のいずれか少なくとも一つを判断するクリック等判断手段とを備えて構成されてもよい。
更に、本発明は、表面及び／又は裏面にキーの配設された本体ケースと、該本体ケースに対し一部又はすべてを折り畳み又は重ね合わせることの可能な表示部を有するカバーケースと、該カバーケースを、前記本体ケースに対し折り畳み又は重ね合わせ自在とする第１の折り畳み等手段と、前記本体ケースの側部に配設された補助キーとを備えて構成されてもよい。
【０００８】
補助キーを本体ケースの側部に配設したので、携帯型情報処理装置の幅を狭く構成できる。補助キーは機械的な接点キーであってもよいし、指の接触や接近等を電気的等の処理により検出可能なものであってもよい。
【０００９】
更に、本発明は、前記本体ケースは右手に操作されるキーを有する第１の本体ケースと、左手に操作されるキーを有する第２の本体ケースとに分割され、前記第１の本体ケース及び前記第２の本体ケースを相互に折り畳み又は重ね合わせ自在とする第２の折り畳み等手段とを備えて構成されてもよい。
【００１０】
第１の本体ケースと第２の本体ケース間には第２の折り畳み等手段が配設されるが、右手に操作されるキーを有する第１の本体ケースと、左手に操作されるキーを有する第２の本体ケースとに分割したことで使い易い。また、第２の折り畳み等手段の介在に伴う空間により左手と右手の間の空間が広がる。このため、一層楽にキー操作ができるようになる。
【００１１】
更に、本発明は、前記補助キーを前記本体ケースより出没自在とするキー出没手段を備えて構成されてもよい。
【００１２】
携帯時には補助キーを本体ケース内に収納可能なので、不必要な接触等による補助キーの破損等を防止することができる。
【００１３】
更に、本発明は、表面及び／又は裏面にキーの配設された第１の本体ケースと、該第１の本体ケースに対し一部又はすべてを折り畳み又は重ね合わせることの可能な表示部を有するカバーケースと、該カバーケースを、前記第１の本体ケースに対し折り畳み又は重ね合わせ自在とする第１の折り畳み等手段と、該第１の本体ケースに対し連接され、表面及び／又は裏面にキーの配設された第２の本体ケースと、前記第１の本体ケース及び前記第２の本体ケースを相互に折り畳み又は重ね合わせ自在とする第２の折り畳み等手段とを備え、前記第１の折り畳み等手段及び／又は前記第２の折り畳み等手段は、前記各部材を分離自在とする分離手段を有することを特徴としてもよい。
【００１４】
カバーケースと第１の本体ケース、第１の本体ケースと第２の本体ケースとは分離自在とすることが可能である。このため、カバーケースの表示部を見ながら第１の本体ケース及び第２の本体ケースにより通話したり、カバーケースの表示部を第１の本体ケース及び第２の本体ケースからユーザにとって見やすい適当な距離まで離隔した状態でキー操作できる。このとき、カバーケースを独立した形で立設自在としてもよい。立設はユーザにとって表示部が見やすいように、適当な傾斜角度を有するのが望ましい。また、カバーケースと第１の本体ケースを開き、第１の本体ケースを置いた状態で、カバーケースの表示部を見ながら第２の本体ケースにより通話する等できる。離隔された部材間の交信は有線であってもよいし、無線や赤外線等の光による通信であってもよい。
【００１５】
更に、本発明は、表面及び／又は裏面にキーの配設された第１の本体ケースと、該第１の本体ケースに対し一部又はすべてを折り畳み又は重ね合わせることの可能な表示部を有するカバーケースと、該カバーケースを、前記第１の本体ケースに対し折り畳み又は重ね合わせ自在とする第１の折り畳み等手段と、該第１の本体ケースに対し連接され、表面及び／又は裏面にキーの配設された第２の本体ケースと、前記第１の本体ケース及び前記第２の本体ケースを相互に折り畳み又は重ね合わせ自在とする第２の折り畳み等手段とを備え、該第２の折り畳み等手段による折り畳みは、前記第１の本体ケースに対し前記第２の本体ケースが水平方向にて停止されると共に、通話し易いように所定の傾斜角度にても停止可能であることを特徴としてもよい。
【００１６】
第１の本体ケースと第２の本体ケースとが水平となることで、キー操作が楽に行える。また、第１の本体ケースと第２の本体ケースとが所定の傾斜角度にて停止可能なので、通話感度がよくなる。
【００１７】
更に、本発明は、表面及び／又は裏面にキーの配設された第１の本体ケースと、該第１の本体ケースに対し折り畳み自在に配設され、表面及び／又は裏面にキーの配設された第２の本体ケースと、該第２の本体ケース又は前記第１の本体ケースに対し一部又はすべてを折り畳み又は重ね合わせることの可能な表示部を有するカバーケースとを備え、該カバーケースを前記第２の本体ケース若しくは前記第１の本体ケースに対し、又は前記第２の本体ケースを前記第１の本体ケースに対し９０度若しくは１８０度回動自在とする回動手段とを備えて構成されてもよい。
【００１８】
更に、本発明は、表面及び／又は裏面にキーの配設された本体ケースと、該本体ケースに対し折り畳み可能な表示部を有するカバーケースと、該カバーケースを、前記本体ケースに対し折り畳み自在とする折り畳み等手段とを備え、該折り畳み等手段は、前記カバーケースと前記本体ケースとを分離自在とする分離手段を有することを特徴としてもよい。
【００１９】
カバーケースと本体ケースとは分離自在とすることが可能である。このため、カバーケースの表示部を見ながら本体ケースにより通話したり、カバーケースの表示部を本体ケースからユーザにとって見やすい適当な距離まで離隔した状態でキー操作できる。このとき、カバーケースを独立した形で立設自在としてもよい。立設はユーザにとって表示部が見やすいように、適当な傾斜角度を有するのが望ましい。離隔された部材間の交信は有線であってもよいし、無線や赤外線等の光による通信であってもよい。
【００２０】
更に、本発明は、表面及び／又は裏面にキーの配設された第１の本体ケースと、該第１の本体ケースに対し一部又はすべてを折り畳み又は重ね合わせることの可能な表示部を有するカバーケースと、該カバーケースを、前記第１の本体ケースに対し折り畳み又は重ね合わせ自在とする第１の折り畳み等手段と、該第１の本体ケースに対し連接され、表面及び／又は裏面にキーの配設された第２の本体ケースと、前記第１の本体ケース及び前記第２の本体ケースを相互に折り畳み又は重ね合わせ自在とする第２の折り畳み等手段とを備え、前記カバーケースが開かれたとき、前記第１の本体ケース及び前記第２の本体ケースのキーによる横キー操作が可能であり、かつ前記カバーケースが閉じられたとき、前記第２の本体ケースのキーにより縦キー操作が可能であることを特徴としてもよい。
【００２１】
カバーケースが閉じられたときであっても、第２の本体ケースのキーによる縦キー操作により本携帯型情報処理装置のキー操作が行える。従って、より一層狭い空間であっても本携帯型情報処理装置のキー操作が行える。横キー操作と縦キー操作の切り換えは、カバーケースの開閉を検出することで自動的に行なうことが望ましい。
【００２２】
更に、本発明は、前記第２の本体ケースに対し一部又はすべてを折り畳み又は重ね合わせることの可能な表示部を有する第２のカバーケースと、該第２のカバーケースを、前記第２の本体ケースに対し折り畳み又は重ね合わせ自在とする第３の折り畳み等手段とを備えて構成されてもよい。
【００２３】
第２のカバーケースを追加することで、表示部の大きさが全体として増す。従って、全体として大きな一画面として使用することが出来、見易くなる。また、各表示部同士の間での複写や移動等の編集が楽に可能となる。
【００２４】
更に、本発明は、前記カバーケース又は前記第２のカバーケースの取り付け位置を変更可能な取付位置変更手段を備えて構成されてもよい。
【００２５】
カバーケース等の取り付け位置を変更可能とすることで、表示部をユーザの見易い位置に置くことができる。
【００２６】
更に、本発明は、前記本体ケース、前記第１の本体ケース及び前記第２の本体ケースのいずれか少なくとも一つには、キーの種類、数を拡張可能な延長ボードを備えて構成されてもよい。
【００２７】
本体ケース等の限られた場所ではすべてのキーを配設することは難しい。従って、主要なキー以外は延長ボードに配設することが望ましい。延長ボードは、本体ケース等に折り畳み又は重ね合わせ等により収納自在とすることが望ましい。また、延長ボードは、本体ケース等に対し取り付け、取り外し自在とすることが望ましい。
【００２８】
更に、本発明は、前記キー及び／又は前記補助キーの一部又はすべては、機械的な接点キーによらず、人の指の押圧、接触又は近接に基づく電気的、光学的、音響的、磁気的又は熱的変化等の検知によりキー操作のあったことを検知するキー操作検知手段を備えて構成されてもよい。
【００２９】
機械的な接点キーを出来るだけ少なくすることで、一層携帯し易くなる。また、本携帯型情報処理装置がキー操作中に移動するのを防止、若しくは移動し難くできる。
【００３０】
更に、本発明は、表面、裏面及び側面のいずれか少なくとも一つにキーの配設された本体ケースと、前記キーの一部又はすべてには、機械的な接点キーによらず、人の指の押圧、接触又は近接に基づく電気的、光学的、音響的、磁気的又は熱的変化等の検知によりキー操作のあったことを検知するキー操作検知手段とを備えて構成されてもよい。
【００３１】
更に、本発明は、表面、裏面及び側面のいずれか少なくとも一つにキーの配設された本体ケースと、前記キーの操作中に該キーの位置が移動するのを防止する移動防止手段とを備えて構成されてもよい。
【００３２】
移動防止手段は、例えば携帯用のストラップを用い、このストラップを所定箇所に停止するものであってもよいし、携帯型情報処理装置にゴム等を添付したりシートを敷く等によってもよい。
【００３３】
更に、本発明は、表面、裏面及び側面のいずれか少なくとも一つにキーの配設された本体ケースと、該本体ケースに接続され、指に装着されるリングと、該リングが下方に押されたことを検出及び／又は該リングの移動を検出する指動作検出手段と、該指動作検出手段での信号検出を基にキー及び／又はポインティングデバイスとしての動作を認識するキー等認識手段とを備えて構成されてもよい。
【００３４】
リングは本体ケースとは別体なので、リングの操作中に本携帯型情報処理装置が移動し、キーの位置が変わるのを防止できる。
【００３５】
更に、本発明は、表面、裏面及び側面のいずれか少なくとも一つにキーの配設された本体ケースと、指が触れられるタッチパッドと、該タッチパッドに対し指の接触及び／又は移動が行われたことを検出する接触・移動検出手段と、前記タッチパッドを前記本体ケースの側面より引出し収納自在とする引出・収納手段と、前記接触・移動検出手段での指の接触等の検出を基に補助キー及び／又はポインティングデバイスとしての動作を認識するキー等認識手段とを備えて構成されてもよい。
【００３６】
更に、本発明は、指の上下動及び／又は移動を非接触に検出可能な指動作検出手段と、該指動作検出手段での検出信号を基にクリック又はキー操作又はポインティングデバイスとしての動作を認識するクリック等認識手段とを備えて構成されてもよい。
【００３７】
指の上下動を非接触に検出することによりクリック又はキー操作が行われたことを認識できる。指の移動を非接触に検出することによりポインティングデバイスとしての動作を認識できる。従って、楽にキー操作が行えると共に、これらのキー操作中に本携帯型情報処理装置が移動し、キーの位置が変わるのを防止できる。携帯にも便利である。外観を簡素に構成できる。
【００３８】
更に、本発明は、前記本体ケース、又は前記第１の本体ケース及び／又は前記第２の本体ケースに対し一部又はすべてを折り畳み又は引出し・収納自在で、かつ表面及び／又は裏面にキーの配設された補助本体ケースを備えて構成されてもよい。
【００３９】
補助本体ケースを開いたときに、本体ケース等に配設されたキーとこの補助本体ケースに配設されたキーを合わせることで、一つの纏まりのあるキーボードとすることができる。従って、携帯型情報処理装置を小さく構成でき、携帯に便利である。
【００４０】
更に、本発明は、前記本体ケース、前記第１の本体ケース、前記第２の本体ケース及び前記補助本体ケースのキーは人の指の大きさ及び各指の間隔にほぼ合わせて配設されたことを特徴としてもよい。
【００４１】
キーは人の指の大きさ及び各指の間隔にほぼ合わせて配設されているので、ブラインドタッチが可能である。
【００４２】
更に、本発明は、前記本体ケース、又は前記第１の本体ケース及び前記第２の本体ケース、又は前記本体ケースと前記補助本体ケース、又は前記第１の本体ケース及び前記第２の本体ケースと前記補助本体ケースにより、下段、中断、上段からなる３段のアルファベットキーが構成されたことを特徴としてもよい。
【００４３】
下段、中断、上段からなる３段のアルファベットキーをベースとすることで、ブラインドタッチが可能となる。
【００４４】
更に、本発明は、前記上段の上に更に４段目を配設し、該４段目のキーは、前記下段、中断、上段の各段のキーより前記本体ケースの幅方向の寸法が小さく配設されたことを特徴としてもよい。
【００４５】
更に、本発明は、ＪＩＳ配列のアルファベットキーを有し、右手に操作される第１のキー群を有する第１の本体ケースと、左手に操作される第２のキー群を有する第２の本体ケースとを備え、前記第１のキー群と前記第２のキー群の間に形成された空間に所定のキーが配設されたことを特徴としてもよい。
【００４６】
このことにより、高密度にキーを配設することができる。
【００４７】
更に、本発明は、通話、通信、インターネット、テレビ電話、ゲーム、チャット、ＬＡＮ及び電子メール等のいずれか少なくとも一つの可能な通信手段を備えたことを特徴としてもよい。
【００４８】
このことにより、高機能な携帯型情報処理装置を提供できる。
【発明の効果】
【００４９】
以上説明したように本発明によれば、情報処理装置の本体ケースとは非接触にクリック又はキー操作又はポインティングデバイスとしての動作を行うことができ、かつより一層の小型化を実現できる。
【図面の簡単な説明】
【００５０】
【図１】本発明の第１実施形態の構成図
【図２】ヒンジの詳細構造図
【図３】携帯型情報処理装置の側面図
【図４】ヒンジを分離したときの様子
【図５】キー配列を４段構成した例
【図６】ヒンジを分離したときの様子を示す別例
【図７】本発明の第１実施形態の別キー配列
【図８】本発明の第１実施形態の別構成図
【図９】同上構成図
【図１０】本発明の第２実施形態の構成図
【図１１】カバーケースが本体ケースに重ねられたときの様子外観図
【図１２】縦横兼用されたキーの例
【図１３】カバーケースを本体ケースから取り外し可能とした例
【図１４】カバーケースが本体ケースの間に挟まれた形で折り畳まれた様子を示す側面図
【図１５】傾斜角度調整機構の構成図
【図１６】同上構成図
【図１７】本発明の第２実施形態の別キー配列
【図１８】同上別キー配列
【図１９】同上別キー配列
【図２０】本発明の第３実施形態の平面図
【図２１】カバーケース周りの様子を示す図
【図２２】本発明の第４実施形態の構成図
【図２３】本発明の第５実施形態の構成図
【図２４】本体ケース内に収納されている回転筒の側面図
【図２５】図２４中のＡ−Ａ矢視断面図
【図２６】ヒンジ周りの様子を示す図
【図２７】回転筒の配設位置を本体ケースの中央に設定した例
【図２８】本発明の第６実施形態の構成図
【図２９】本発明の第６実施形態の構成図
【図３０】ヒンジ及び回転筒周りの斜視外観図
【図３１】本発明の第７実施形態の構成図
【図３２】本発明の第８実施形態の構成図
【図３３】本発明の第９実施形態の構成図
【図３４】扉によりボタンが押される様子を示す図
【図３５】扉の別構成例
【図３６】補助キーの側面図
【図３７】本発明の第１０実施形態の構成図
【図３８】本発明の第１１実施形態の構成図
【図３９】同上構成図
【図４０】同上構成図
【図４１】本発明の第１２実施形態の構成図
【図４２】本発明の第１３実施形態の構成図
【図４３】本発明の第１４実施形態の全体平面図
【図４４】わに口クリップ付近の様子を示す図
【図４５】本発明の第１４実施形態の全体側面図
【図４６】本発明の第１５実施形態の構成図
【図４７】本発明の第１５実施形態の別態様
【図４８】本発明の第１６実施形態の構成図
【図４９】マウス部の一簡略構成例
【図５０】クリック用キーの構造図
【図５１】本発明の第１７実施形態の構成図
【図５２】本発明の第１７実施形態の別態様
【図５３】本発明の第１８実施形態の構成図
【図５４】本発明の第１９実施形態の構成図
【図５５】座標検出部の一構成例
【図５６】本発明の第２０実施形態の構成図
【図５７】右親指による操作と左親指による操作とを区別する方法を説明する図
【図５８】親指の移動距離や移動方向に基づきマウスポイントの位置を更新する方法の説明図
【図５９】本発明の第２１実施形態の構成図
【図６０】本発明の第２２実施形態の構成図（携帯型情報処理装置が展開されたときの全体展開平面図）
【図６１】同上（携帯型情報処理装置が折り畳まれたときの側面図）
【図６２】同上（携帯型情報処理装置が折り畳まれ、かつヒンジが分離されたときの様子を示す平面図）
【図６３】本体ケース上部と本体ケース下部のそれぞれのキー配列を３段で構成した例
【図６４】本体ケース上部と本体ケース下部のそれぞれのキー配列の段数が等しくない例
【図６５】本発明の第２３実施形態の構成図（携帯型情報処理装置の本体ケース下部が本体ケース上部より引き出されたときの全体平面図）
【図６６】同上（携帯型情報処理装置の本体ケース下部が本体ケース上部に収納されたときの全体側面図）
【図６７】本体ケース上部と本体ケース下部のそれぞれのキー配列を３段で構成した例
【図６８】本体ケース上部と本体ケース下部のそれぞれのキー配列の段数が等しくない例
【図６９】本発明の第２４実施形態の構成図
【図７０】本体ケース及び延長ボードの斜視図
【発明を実施するための形態】
【００５１】
以下、本発明の実施形態について説明する。本発明の第１実施形態の構成図を図１に示す。図１において、携帯型情報処理装置１０は、本体ケース１の上端部にヒンジ３を介してカバーケース５が配設されている。そして、カバーケース５が本体ケース１の上に重ねられ、本体ケース１に対しカバーケース５が折り畳み自在なようになっている。
【００５２】
カバーケース５の表面には表示部７が配設されている。表示部７にはスピーカ９から音声が聞こえるようになっている。カバーケース５の右側部には通話キー１１のほか、電源１３のスイッチが配設されている。また、カメラ１５が取り付けられている。
【００５３】
本体ケース１の表面部にはＪＩＳ配列キーボードのアルファベットを中心とした操作部１７が配列されている。キーピッチは約１９ｍｍのフルサイズキーである。このキーピッチはブラインドタッチ可能なパソコンやワープロとして使用されているものである。キーピッチは人の指の大きさ及び各指の間隔にほぼ合わせて配設されるのが望ましい。
【００５４】
従って、フルサイズキー以外に約１５〜１９ｍｍ程度のキーでもよい。この程度のサイズならば、ほぼブラインドタッチ可能と考えられる。キー配列は３段であり、上段には数字キーが兼用されている。アルファベット以外のキーはエンター、シフト等最小限のものとされている。
【００５５】
カバーケース５の左側部には図示しないタッチペンが装着可能なようになっている。アンテナ１９がカバーケース５に取り付けられている。本体ケース１及びカバーケース５の内部には、無線部、ベースバンド部、受話部、送話部、操作部、電源部、演算処理部、ＲＡＭやＲＯＭからなる記憶部等が含まれている。
【００５６】
即ち、携帯型情報処理装置１０は携帯電話の機能とパソコンの機能とを含むものである。また、図示しない外部端子により他のパソコンとの接続も可能である。但し、他のパソコンとはＬＡＮ接続可能とされてもよい。従って、パソコンから入力されたデータを携帯型情報処理装置１０の記憶部に保存したり、逆に携帯型情報処理装置１０の記憶部からパソコン側にデータを読み込むことができる。このように、携帯型情報処理装置１０はフレクシブルディスクの代わりとしても適用可能なようになっている。更に、携帯型情報処理装置１０には外部記憶媒体を挿入可能としてもよい。更に、外部記憶媒体は、インターネットを通じてホスト側に用意し、アクセス可能としてもよい。
【００５７】
表示部７には、電話帳、電話番号、インターネット、電子メール、各種演算、テレビ電話による動画、ウインドウズ等のＯＳによるパソコン画面、ソフトキーボード、アプリケーションソフト、ゲーム等が表示可能なようになっている。また、タッチペンを用いて、絵等や文字を表示部７にて書き保存したり、手書き電子メールが可能なようになっている。
【００５８】
一方、本体ケース１の前面側部には、変換キー、無変換キー、スペース、記号選択キー、数字／文字選択キー等の補助キー２Ａが配設されている。変換キー、無変換キーの位置は、ＪＩＳキーボード等の一般的に使用されているキーボードとほぼ一致させた位置に配置されている。また、本体ケース１の左側部（右側部）にも補助キー２Ｂが配設されている。しかしながら、前面側部のみに必要なキーを配設するようにしてもよい。更に、変換キー、無変換キーを省略し、スペースキーにて代用されるようにしてもよい。
【００５９】
補助キー２Ａ、２Ｂは機械接点式のキーでもよいが、例えば、静電容量式センサ、焦電センサ、光電センサ、送受光素子、超音波センサや磁気センサ等のように指が接触、あるいは近接したことを電気的、光学的あるいは磁気的等に検出可能なようにしてもよい。静電容量式センサによれば、指の接触による静電容量の変化を電気的に検出可能である。一方、焦電センサによれば、近づいた人の体温を感知し、その変化を電気的に検出可能である。
【００６０】
また、光電センサによれば、指で光電センサに至る光の通路を遮ることで、光が進入しなくなったことを電気的に検出する。光は、外界からの進入光であってもよい。更に、送受光素子（超音波センサも同様に可）により、光が指に投射されたときの反射光を検出し、この反射光の強度の変化を測定してもよい。また、投射光から反射光までの時間差から距離を判断してもよい。
【００６１】
操作部１７と補助キー２はパソコン操作と携帯電話操作とが兼用されている。従って、操作部１７と補助キー２により、パソコンとしての文字入力や各種操作が可能である。また、この操作部１７と補助キー２により、電子メール文の作成、電話番号の入力、インターネット等が操作可能である。
【００６２】
次に、図２にヒンジの詳細構造図を示す。カバーケース５の外側端部に突設されるカバーケース側端部３ａ、３ｂにより、カバーケース側端部３ａとカバーケース側端部３ｂの間には凹部３ｃが形成されている。この凹部３ｃには、本体ケース１の端部中央に突設された本体ケース側端部３ｄが納められるようになっている。
【００６３】
本体ケース側端部３ｄの左右側部には穴３９ａ、３９ｂが設けられ、内部にはバネ４１ａ、４１ｂを介在して進退出部材４３ａ、４３ｂが挿入されている。進退出部材４３ａ、４３ｂは本体ケース側端部３ｄの左右側部より所定長分突出されている。
【００６４】
一方、カバーケース側端部３ａ、３ｂの内側内部には、本体ケース１側に向けてハの字状に拡開された溝３７ａ、３７ｂが刻設されている。溝３７ａ、３７ｂの上方には穴４５ａ、４５ｂが連設されている。この穴４５ａ、４５ｂは、カバーケース側端部３ａ、３ｂを貫通している。
【００６５】
また、穴４５ａ、４５ｂの内部所定箇所には周状に刻設された空洞４７ａ、４７ｂが形成されている。穴４５ａ、４５ｂには空洞４７ａ、４７ｂ内部に収納された円板４９ａ、４９ｂを周囲に有するボタン５１ａ、５１ｂが配設されている。
そして、進退出部材４３ａ、４３ｂは、この溝３７ａ、３７ｂに対し、バネ４１ａ、４１ｂが収縮されつつ案内され、穴４５ａ、４５ｂにて伸長されるようになっている。
伸長された進退出部材４３ａ、４３ｂの頭部は、ボタン５１ａ、５１ｂの底部と当接されるようになっている。
【００６６】
かかる構成において、ヒンジ３はカバーケース５と本体ケース１とを分離したり結合したりできる。結合する場合には、溝３７ａ、３７ｂと進退出部材４３ａ、４３ｂとを合わせた後、カバーケース５を押し込めばよいので簡単である。進退出部材４３ａ、４３ｂは溝３７ａ、３７ｂに沿って案内され穴４５ａ、４５ｂに落とされる。
【００６７】
このようにして、カバーケース５が本体ケース１に連結されたときには、ボタン５１ａ、５１ｂが進退出部材４３ａ、４３ｂの頭部により押され、一部がカバーケース側端部３ａ、３ｂより突出する。
分離させる場合には、ボタン５１ａ、５１ｂを親指と人指し指等で押し込んだ状態で、カバーケース５を引っ張ることで可能である。
【００６８】
また、携帯型情報処理装置１０の側面図を図３に示す。図３において、カバーケース５のヒンジ３側端部には突設部６１が形成され、カバーケース５が開かれたとき、本体ケース１の端部に当接することでカバーケース５が本体ケース１に対し所定角度にて傾斜された状態で停止されるようになっている。
【００６９】
また、ヒンジ３を分離したときの様子を図４に示す。
本体ケース１とカバーケース５の間は、ケーブル２１で結ばれており、このケーブル２１はカバーケース５内にてリール状に巻かれている。
そして、カバーケース５が本体ケース１から離れるにつれて、このケーブル２１は引き出され、また、図示しないプッシュボタンを押すことによってこのケーブル２１は巻き戻されるようになっている。
【００７０】
本体ケース１の背面には送話孔６３と受話孔６５が配設されており、受話孔６５に耳を当てた状態で送話孔６３に向かって話をすることができるようになっている。
なお、ケーブル２１は省略し、無線や赤外線等の光による交信にて本体ケース１とカバーケース５間の信号の授受を行うようにしてもよい。
【００７１】
かかる構成において、キー配列が３段で構成されているので、アルファベット入力が通常のパソコンやワープロソフト入力と同様にブラインドタッチなども可能となり、キー配列等も同じであることから、操作がしやすい。
【００７２】
また、変換キーや無変換キーは本体ケース１の前面側部にて親指で操作可能であり、表示部７を見ながら楽にキー操作が可能である。変換キーや無変換キー等の配置も通常よく使用されているＪＩＳ配列キーボード等を考慮されているので、親指操作も楽に行える。
【００７３】
また、ヒンジ３を外した場合には、表示部７で相手の顔等を見ながら、かつ本体ケース１の受話孔６５を耳に当てた状態でテレビ電話をすることができる。更に、本体ケース１以外に他の部材や装置を用意し、本体ケース側端部３ｄをこれらの他の部材や装置に突設する。そして、この本体ケース側端部３ｄに対しカバーケース５を取り付ければ、これらの他の部材や装置を台座としてカバーケース５を立設することができる。但し、カバーケース５を空間の適所に掛止等するため、カバーケース５にはフック若しくは磁石等による適当な掛止部材を付設するようにしてもよい。
【００７４】
なお、図４の表示部７に示すように、表示部７の画面を左右に分離し、左側画面７Ａに続き、右側画面７Ｂが連続されるようにしてもよい。このとき、左側画面７Ａの最下端に存在する行に続く次の行は右側画面７Ｂの上端の先頭行となる。このことにより、画面のほぼ全体を見渡すことができる。但し、表示部７を左右に分離せず、全体として通常の一画面として機能させてもよい。更に、表示部７の画面を上下に分離可能としてもよい。これらの画面構成を選択可能としてもよい。更に、左右等の画面をそれぞれコピー元画面、コピー先画面等としてもよい。
【００７５】
また、キーボードはＪＩＳキーボードのほか、例えば、富士通株式会社製の親指シフトキーボード等の構成を取ることも可能である。この際には、カナキーを３段のキー配列に割り付けることが可能である。但し、親指シフトキーボード等のカナキー配列を携帯型情報処理装置１０にそのまま適用する際には、キーの個数が合わずに携帯型情報処理装置１０の方が少ない場合が考えられる。かかる場合には適宜不足するキーを増設させる。増設させるカナキーは記号と併用されるのが望ましい（図示略）。
【００７６】
更に、図１では、３段目の上段のキーにはアルファベットと数字キーを兼用するように構成しているが、図５に示すように、数字キーを４段目として構成することも可能である。このとき、ＪＩＳキーボードに通常適用されている形での４段に渡るカナキーの配列も可能となる。
【００７７】
但し、ＪＩＳキーボードのカナキー配列を携帯型情報処理装置１０にそのまま適用する際には、前述と同様にキーの個数が合わずに携帯型情報処理装置１０の方が少ない場合が考えられる。かかる場合には適宜不足するキーを増設させる。増設させるカナキーは記号と併用されるのが望ましい。しかしながら、不足するキーの個数が多い場合には、キーを増設させることなく、一つのキーにカナを重複させるようにしてもよい（図示略）。このときであっても、カナキーは記号と併用されるのが望ましい。
【００７８】
図５において、本体ケース１のケース幅をできるだけ狭くするため、４段目のキーの高さはフルサイズキーの半分以下とする。
しかしながら、押すことができさえすればよいので、より狭く構成することも可能である。
【００７９】
次にヒンジ取り外しの別方法について説明する。
図６において、ヒンジ６７の中央には、ソケット雄６９が突設されている。
そして、このソケット雄６９は本体ケース１に配設されたソケット雌７１に対し嵌合されるようになっている。
【００８０】
このことにより、カバーケース５を本体ケース１から外す場合には、ソケット雄６９をソケット雌７１から外すことで、簡単に取り外し可能である。
また、このソケット雄６９及びソケット雌７１を介して電極が接続されるので信号の授受が可能となる。
【００８１】
そして、このソケット雄６９及びソケット雌７１が外されたときには、本体ケース１とカバーケース５間が無線等にて交信可能とされるのが望ましい。ソケット雄６９とソケット雌７１が外されたことを検出するには、例えば、電極に流れる電位やインピーダンス等の変化を検出したり、ソケット雄６９とソケット雌７１の間に配設されるリミットスイッチ等により構成可能である。
【００８２】
なお、カバーケース５を本体ケース１とは離隔できるので、ユーザにとって見易い適当な位置にカバーケース５を置いた状態でキー操作できる。このとき、ソケット雄６９をカバーケース５の裏側に任意の角度分回すことで、ソケット雄６９はカバーケース５を立設させる台座として機能可能である。但し、カバーケース５を空間の適所に掛止等するため、カバーケース５にはフック若しくは磁石等による適当な掛止部材を付設するようにしてもよい。
【００８３】
次に、本発明の第１実施形態のキー配列の別例について説明する。
図７にはバックスペースとデリートの切り替えキーを本体ケース１の右側部に配設し、エンターキーを上段まで延長している。
また、図８には静電容量式のポインティングデバイス２６７をカバーケース５側に配設し、補助キーであるポインティングキーを削除した例を示す。
また、図９にはカバーケース５の周囲にかぶり部２６９を形成している。
そして、このかぶり部２６９は補助キー２を覆うように形成されている。
従って、キーが外部と接触することを防止することができる。
【００８４】
次に、本発明の第２実施形態について説明する。
本発明の第２実施形態では、携帯型情報処理装置８０の本体ケース１を折り畳み自在としたものである。図１０においても、本発明の第１実施形態と同様にアルファベットキーを中心として、フルサイズのキーが配設されている。
そして、本体ケース１Ａと本体ケース１Ｂとはヒンジ７３を介して折り畳み自在なようになっている。
【００８５】
また、本体ケース１Ａの側部にはヒンジ７５を介してカバーケース７７が配設され、このカバーケース７７は本体ケース１Ａの上に折り畳み自在なようになっている。
図１１にこのカバーケース７７が本体ケース１Ａに重ねられたときの様子外観図を示す。
カバーケース７７の内側には、表示部７９が配設され、表面には表示部８１が配設されている。
【００８６】
そして、この表示部８１の上方には、受話孔８３が配設され、かつ、本体ケース１Ｂの下方には送話孔８５が配設されている。
また、本体ケース１Ｂの各キーは、図１０に示すように構成することも可能であるが、図１１及び図１２に示すように、斜め上段キー８５Ｂ及び斜め下段キー８５Ａにて形成されることが望ましい。
【００８７】
斜め下段キー８５Ａは、携帯型情報処理装置８０を縦方向に人が保持したときに、見やすいように文字が記載されている。但し、斜め下段キー８５Ａはソフトキーボードにて表示部８１に画面案内表示されるようにしてもよい。
一方、斜め上段キー８５Ｂは、図１２に示すように、人がカバーケース７７を開き、横方向に保持している場合に見やすいように、文字が横方向に記載されている。
【００８８】
カバーケース７７が本体ケース１Ａに対し閉じられたとき、本体ケース１Ａに配設されたスイッチ８７が閉じられたことを検出して、斜め下段キー８５Ａの内容にて機能するように切り替えられる。
【００８９】
カバーケース７７が本体ケース１Ａに対し開かれたとき、本体ケース１Ｂの斜め上段キー８５Ｂ、本体ケース１Ａに配列されたキー及び補助キー２により表示部７９を見ながらパソコンとしての文字入力や各種操作が可能である。同様に、これらのキーにより、電子メール文の作成、電話番号の入力、インターネット等が操作可能である。また、ゲーム等も可能である。
【００９０】
図示しないキーにより、パソコン機能、携帯電話機能、ゲーム等のモードが選択可能であり、表示部７９には、それぞれのモードに従い画面表示される。
一方、カバーケース７７が本体ケース１Ａに対し閉じられたときには、斜め下段キー８５Ａにより、パソコン操作と携帯電話操作とが兼用される。
【００９１】
即ち、斜め下段キー８５Ａにより、パソコンとしての文字入力や各種操作及び電子メール文の作成、電話番号の入力、インターネット等の操作が可能である。この際には、ポインティングデバイスである例えばトラックポイント８４によりポインティング操作を行う。また、本体ケース１Ｂの背面に設けた図示しないジョグダイヤルによりカーソル移動を行うようにしてもよい。
【００９２】
図示しないキーにより、パソコン機能、携帯電話機能、ゲーム等のモードが選択可能であり、表示部８１には、それぞれのモードに従い画面表示される。
また、図１３に示すように、カバーケース７７を本体ケース１Ａから取り外し可能としてもよい。このとき、ヒンジ７５に突設されたソケット雄８９を本体ケース１Ａに配設されたソケット雌９１から取り外す。このソケット雌９１は、凹部９２内部に取り付けられている。
【００９３】
更に、この場合には、本体ケース１Ａの表面に受話孔９３を配設するのが望ましい。このことにより、テレビ電話の際には、表示部７９に映った相手の顔等を見ながら、本体ケース１Ａ、１Ｂを持ち、受話孔９３を耳に当てた状態で話をすることができる。
【００９４】
カバーケース７７を本体ケース１Ａ、１Ｂとは離隔できるので、ユーザにとって見易い適当な位置にカバーケース７７を置いた状態でキー操作できる。このとき、ソケット雄８９をカバーケース７７の裏側に任意の角度分回すことで、ソケット雄８９はカバーケース７７を立設させる台座として機能可能である。但し、カバーケース７７を空間の適所に掛止等するため、カバーケース７７にはフック若しくは磁石等による適当な掛止部材を付設するようにしてもよい。
【００９５】
図１４に、カバーケース７７が本体ケース１Ａと本体ケース１Ｂの間に挟まれた形で折り畳まれたときの携帯型情報処理装置８０の側面図を示す。
本体ケース１Ｂのヒンジ７３周りには突設部９５が形成されている。
一方、本体ケース１Ａのヒンジ７３周りにも突設部９７が配設され、突設部９５と突設部９７とは互いに重ならないように、交錯自在なようになっている。
そして、本体ケース１Ｂのヒンジ７３側端部には、突設部９７を収納可能な開口が形成され、一方、本体ケース１Ａのヒンジ７３側端部には、突設部９５を９納可能な開口９９が形成されている。
【００９６】
次に、本体ケース１Ｂの本体ケース１Ａに対する傾斜角度調整機構について説明する。
図１５において、ヒンジ７３と本体ケース１Ａの間には、開口９９が形成されている。
本体ケース１Ａのヒンジ７３に面する上端部にはストッパー１０１が上下に動作可能なようになっている。
【００９７】
このストッパー１０１の下端とスイッチ８７の下端とが当接された状態で、Ｖ字状のシーソー板１０４が軸１０５を中心として揺動自在なようになっている。
そして、この軸１０５は水平板１０７に軸支されており、この水平板１０７と本体ケース１Ａの間にはバネ１０９が介在されている。
一方、水平板１０７とストッパー１０１間にはバネ１１１が配設され、ストッパー１０１は図中下方に付勢されるようになっている。
【００９８】
かかる構成において、スイッチ８７がカバーケース７７により押されている状態においては、ストッパー１０１が開口９９を覆う。
従って、本体ケース１Ｂは突設部９５がこのストッパー１０１に当接されることで、本体ケース１Ａに対し所定角度にて停止される。
【００９９】
一方、カバーケース７７が開かれているときには、バネ１１１の作用により、スイッチ８７は上方に突設され、ストッパー１０１は図中下方に付勢され、開口９９が開かれているので、突設部９５はこの開口９９内に収納される。
このため、本体ケース１Ａの端部と本体ケース１Ｂの端部とが当接され、本体ケース１Ａと本体ケース１Ｂとは水平になる。
このことにより、図１０に示すように、表示部７９を見ながらキー操作が可能となる。
【０１００】
また、本体ケース１Ａと本体ケース１Ｂとが水平にされている状態即ち突設部９５が開口９９内に収納されている状態において、カバーケース７７を閉じたときにはスイッチ８７が図中下方に押されるが、バネ１０９によりこの下方向の変位は吸収される。
【０１０１】
以上により、図１０のようにカバーケース７７を開いたときには本体ケース１Ａと本体ケース１Ｂとが水平に、かつ図１１のようにカバーケース７７が本体ケース１Ａ側に閉じられたときには本体ケース１Ａと本体ケース１Ｂとが図１４に示すように所定角度にて停止されるため、電話をした際の送話感度を高くできる。
【０１０２】
なお、図１６に示すように、ソケット雄８９の側部には本体ケース１Ａに向かって下り斜面を有する傾斜部１１３が形成されている。一方、凹部９２内部には、差し込まれるソケット雄８９の傾斜部１１３と対峙するように摺動部材１１５が配設されている。摺動部材１１５は、ソケット雌９１の側部に配設されている。
【０１０３】
差し込みの際には、傾斜部１１３の上面に摺動部材１１５が当接される。そして、ソケット雄８９が本体ケース１Ａ側に差し込まれたり抜かれたりした際に、この傾斜部１１３に沿って摺動部材１１５が上下動されるようになっている。
この摺動部材１１５の上部にはバネ１１７が配設され、摺動部材１１５は下方に向けて付勢されている。
摺動部材１１５には側方に伸びる水平棒１１９が取り付けられている。
一方、スイッチ８７の下方には、この水平棒１１９に当接されるように突設部材１２１が配設されている。
【０１０４】
かかる構成において、ソケット雄８９が本体ケース１Ａから引き抜かれたときには、摺動部材１１５が下方に付勢され、その結果、突設部材１２１が水平棒１１９により下方向に押される。
このため、ストッパー１０１が開口９９を覆い、本体ケース１Ａを本体ケース１Ｂとは所定角度にて保持する。
この結果、本体ケース１Ａの受話孔９３を耳に当てた状態で表示部７９を見ながら通話することができる。この際には、送話孔８５が感度よく口元に近づく。
【０１０５】
次に、本発明の第２実施形態のキー配列の別例について説明する。
図１０において、左手の操作対象となるキーと右手の操作対象となるキーの間には、一部空間が形成されている。
このため、この空間を利用して図１７においてはカーソルキー２７１Ａ、２７１Ｂ、２７１Ｃ、２７１Ｄを配設している。
【０１０６】
なお、携帯型情報処理装置８０を図１１と同様に縦方向に見たときに、本体ケース１Ｂのキーとして、「Ｔ」キーの隣のカーソルキー２７１Ａを左方向へのカーソル移動キー、「Ｇ」キーの隣のカーソルキー２７１Ｂを下方向へのカーソル移動キーとして流用することが可能である。この際には、斜め下段キー８５Ａとして、「Ｂ」キーを右方向へのカーソル移動、「Ｇ」キーを上方向へのカーソル移動として追加するようにしてもよい。
【０１０７】
このことにより、携帯型情報処理装置８０を横方向、縦方向のいずれの方向で利用した場合であっても、カーソル移動キーが利用可能となる。
また、この空間を利用して図１８に示すように、コピー又は貼り付けのキーやコントロールキーなどを配設してもよい。
更に、図１９に示すように、この空間を埋めるようにキーを拡縮してもよい。
【０１０８】
次に、本発明の第３実施形態について説明する。
本発明の第３実施形態の平面図を図２０に、カバーケース７７周りの様子を図２１に示す。
ヒンジ１２３にはソケット雄１２５Ａ及びソケット雄１２５Ｂが突設されている。
そして、このソケット雄１２５Ａ及びソケット雄１２５Ｂは本体ケース１Ａのソケット雌１２７Ａ、１２７Ｂに対して嵌合可能で抜き差し自在となっている。嵌合された場合には、電極が導通されるようになっている。
【０１０９】
このカバーケース７７を一旦本体ケース１Ａから外し、ソケット雄１２５Ａをソケット雌１２７Ｂに、またソケット雄１２５Ｂを本体ケース１Ｂ側のソケット雌１２９Ａに嵌合可能である。
この場合には、本体ケース１Ａ、１Ｂのキー操作をする際に表示部７９がちょうど中央に位置するように配列されるので、キー操作ならびに画面閲覧がしやすい。
【０１１０】
なお、ソケット雌１２９Ａの側部には、図示しないスイッチが配設され、ソケット雄１２５Ｂがこのソケット雌１２９Ａに嵌合されたことを感知して、信号の接続ルートの切り替えを行う。また、表示部７９が中央の他、本体ケース１Ｂ側に位置するように構成されてもよい。
【０１１１】
次に、本発明の第４実施形態について説明する。
図２２に本発明の第４実施形態の構成図を示す。図２２において、カバーケース７７の下方左側部には保持棒１３１が配設され、この保持棒１３１とカバーケース７７とは、水平支軸１３３を介し、カバーケース７７が保持棒１３１に対し鉛直周り方向に回動自在となるように軸支されている。
【０１１２】
また、保持棒１３１の下端部には鉛直支軸１３５を介してコネクタ雄１３７が配設され、このコネクタ雄１３７に対し保持棒１３１が水平方向に回動自在なようになっている。
また、このコネクタ雄１３７は本体ケース１Ｂ側に配設されたコネクタ雌１３９に対し嵌合されているが、コネクタ雄１３７を引き出すことによって本体ケース１Ｂからこのカバーケース７７を着脱自在なようになっている。
【０１１３】
かかる構成において、カバーケース７７を水平に鉛直支軸１３５周りに回動させる。そして、カバーケース７７を鉛直方向に所定角度立てることで、ちょうど本体ケース１Ａ、１Ｂの中央線上に表示部８１を位置させることができる。また、鉛直方向に所定角度傾けることによって見やすい角度に表示部８１を保持することができる。
【０１１４】
またこの際、カバーケース７７の下端部が水平支軸１３３より少し低い位置に位置することになるので、本体ケース１Ａ、１Ｂとの間の高さの差を埋めることができる。更に、水平支軸１３３回りに一層深くカバーケース７７を傾斜させることで、本体ケース１Ａ、１Ｂの上辺側を補助キーの属する下辺側に対し高く位置するように傾斜させることもできる。傾斜の角度は、キー操作のし易い角度に調整可能である。
【０１１５】
更に、カバーケース７７を本体ケース１Ｂから外したときには、図１４〜図１６で説明したのと同様に、本体ケース１Ａと本体ケース１Ｂの間を所定角度に保持することも可能である。
このことにより、受話孔９３に耳を当てた状態で表示部８１で相手の顔等を確認しながら、感度よく通話することが可能となる。
また、表示部８１はキー部から所定距離離れているので見やすい。
【０１１６】
次に、本発明の第５実施形態について説明する。
図２３に本発明の第５実施形態の構成図を示す。図２３において、カバーケース７７には回転筒１４１が配設され、この回転筒１４１は本体ケース１Ａ内に収納されている。
この本体ケース１Ａ内に収納されている回転筒１４１の側面図を図２４に、また図２４中のＡ−Ａ矢視断面図を図２５に示す。
【０１１７】
図２４及び図２５において、回転筒１４１の所定部には上下に切欠き１４３Ａ及び切欠き１４３Ｂが形成されている。
そして、この切欠き１４３Ａ、１４３Ｂには板バネ１４５Ａ、１４５Ｂが圧接されるようになっている。
板バネ１４５Ａ、１４５Ｂの存在により、回転筒１４１は回転角度が１８０度隔てた位置にて停止するようになっている。
【０１１８】
一方、この回転筒１４１の左右側部には突設棒１４７Ａ、１４７Ｂが突設されている。
そして、この突設棒１４７Ａは図２５において、右側への回転を阻止する停止板１４９Ａと当接するようになっており、一方、突設棒１４７Ｂは停止板１４９Ｂにて停止されるようになっている。
【０１１９】
従って、回転筒１４１の回転は１８０度の範囲にて規制されるようになっている。
また、回転筒１４１の内部にはケーブルが通され、本体ケース１Ａとカバーケース７７間にケーブルが通され、接続されている。
かかる構成において、カバーケース７７は図２３に示すように１８０度反転することが可能である。
【０１２０】
図中点線で示すように、１８０度回転された場合には、本体ケース１Ａ、１Ｂのほぼ中央に表示部８１が位置するようになり、見やすい。
また、回転筒１４１はヒンジ１２３に連接されており、カバーケース７７はこのヒンジ１２３周りに回動自在なようになっている。
そして、図２６に示すように、ヒンジ１２３の所定位置には凹部１４３Ａ、１４３Ｂが刻設されている。
【０１２１】
一方、カバーケース７７の下端には板バネ１４５Ａ、１４５Ｂが山状に突設され、ヒンジ１２３周りに摺動自在になっているとともに、凹部１４３Ａ又は凹部１４３Ｂにて停止されるようになっている。
従って、表示部７９又は表示部８１は見やすい角度にて停止することができる。
【０１２２】
なお、図２３には回転筒１４１の位置を本体ケース１Ａの中心より下方にずらし表示部８１がちょうど本体ケース１Ａと本体ケース１Ｂのほぼ中央に来るように設定してあるが、図２７に示すように回転筒１４７の配設位置を本体ケース１Ａの中央に設定することも可能である。
【０１２３】
このとき、回転筒１４７を中心としてカバーケース７７が１８０度回動自在であるとともに、ヒンジ１２３を介してカバーケース７７は本体ケース１Ａ側に倒すことも可能である。
【０１２４】
次に、本発明の第６実施形態について説明する。
図２８にはカバーケース７７を本体ケース１Ａに対しヒンジ７５を介して開いたときの様子を示している。
また図２９にはカバーケース７７を本体ケース１Ａに対し重ねたときの様子を示している。
【０１２５】
本体ケース１Ｂのヒンジ７３の中央には回転筒１４９が突設されており、この回転筒１４９周りに本体ケース１Ａが本体ケース１Ｂに対し１８０度回動自在なようになっている。
また、図２９に示すようにカバーケース７７を本体ケース１Ａに閉じた状態では、受話孔８３に耳を当てて送話孔８５に向かって話をすることができる。
一方、カバーケース７７を開いたときには、本体ケース１Ａ、１Ｂにてキー操作を行うことができる。
【０１２６】
図３０にヒンジ７３及び回転筒１４９周りの斜視外観図を示す。
図３０において、本体ケース１Ａの下部には回転筒１４９が挿入されている。  そして、この回転筒１４９の周囲にはネジ１５１が刻設され、本体ケース１Ａが１８０度回転されるとこのネジ１５１によりヒンジ７３側に近く移動するようになっている。
【０１２７】
また、回転筒１４９を挟み、本体ケース１Ａの下部には一対の空洞部１５３Ａ、１５３Ｂが形成されており、突設部材１５５Ａ、１５５Ｂがこの空洞部１５３Ａ、１５３Ｂに収納され、頭部が一部本体ケース１Ａよりバネ１５７Ａ、バネ１５７Ｂにより付勢され、突設されるようになっている。
一方、ヒンジ７３の後端部には垂直面１５９Ａ、１５９Ｂが形成され、この垂直面１５９Ａ、１５９Ｂ内には凹部１６１Ａ、１６１Ｂが配設されている。凹部１６１Ａ、１６１Ｂは、垂直面１５９Ａ、１５９Ｂの上側に形成されている。
【０１２８】
そして、本体ケース１Ａが開かれると、突設部材１５５Ａ、１５５Ｂはヒンジ７３の局面に沿って摺動され、垂直面１５９Ａ、１５９Ｂに至り、凹部１６１Ａ、１６１Ｂに嵌合されることで停止する。このとき、本体ケース１Ａ及びカバーケース７７と、本体ケース１Ｂとは凹部１６１Ａ、１６１Ｂの存在位置に起因する所定の傾斜角度にて保持される。従って、通話をする際には、この所定の傾斜角度をもって通話が可能である。
【０１２９】
この状態で本体ケース１Ａを１８０度例えば図３０中の右方向に回転させると、この突設部材１５５Ａ、１５５Ｂは凹部１６１Ａ、１６１Ｂから外れ、回動自在になる。
そして、本体ケース１Ａの端部が垂直面１５９Ａ、１５９Ｂに一致したとき、ちょうど本体ケース１Ａと１Ｂとが水平になる。このとき、本体ケース１Ａと１Ｂの水平面にてキー操作を行うことが可能となる。
【０１３０】
以上により、通話をする際には所定の傾斜角度をもって通話が可能であり、一方、キー操作を行うときには本体ケース１Ａと１Ｂの水平面にてキー操作を行うことが可能となる。
【０１３１】
次に、本発明の第７実施形態について説明する。
図３１において、本体ケース１Ｂのヒンジ７３側端部は、突設部１６３にてヒンジ７３より図中本体ケース１Ａに向けて突出されている。ヒンジ７３には筒体１６７が突設されており、筒体１６７はヒンジ７３回りに回動自在になっている。そして、この筒体１６７に沿って本体ケース１Ａが摺動自在になっている。
【０１３２】
一方、このヒンジ７３には所定角度を有して突設部材１６５が固定されている。本体ケース１Ａの底部には、この突設部材１６５に対し当接される当接部材１６８が突出されている。そして、突設部材１６５が存在することによって、本体ケース１Ａが筒体１６７に沿って戻された状態にあっては、本体ケース１Ａが所定角度以上に傾斜するのが規制されている。
【０１３３】
このとき、本体ケース１Ａを図中右方に引っ張ることによって、当接部材１６８による突設部材１６５との当接が外れ、本体ケース１Ａはこの突設部材１６５を越えて傾斜することが可能となる。そして、筒体１６７が突設部１６３の端部に当接されることで停止する。
その後、本体ケース１Ａは本体ケース１Ｂ側に向かって押されることで、本体ケース１Ａの端部が本体ケース１Ｂの端部と当接される。
このとき、本体ケース１Ａと本体ケース１Ｂとは水平面にて連設され、この水平面によりキー操作が可能となる。
【０１３４】
次に、本発明の第８実施形態について説明する。
本発明の第８実施形態では、本体ケース１Ａと１Ｂを連結するヒンジ７３を分離可能としたものである。
本発明の第８実施形態の構成図を図３２に示す。図３２において、本体ケース１Ｂの背面には、ジョグダイヤル１６９が配設されており、また、受話孔１７３及び送話孔１７１がこの背面に配設されている。
【０１３５】
かかる構成において、ヒンジ７３を分離し、本体ケース１Ｂの受話孔１７３を耳に当てた状態で、かつ分離された本体ケース１Ａ及びカバーケース７７を開いた状態で表示部７９に表示される相手の顔等を見ながら通話をすることが可能となる。
【０１３６】
この際には、本体ケース１Ａを卓上等に置いた状態とされてもよい。また、本体ケース１Ａのキー操作も可能であるので、例えば、表示部７９の輝度調節や画面の切り換えを通話中に行ったり、画面の位置調節等を行ったりすることも可能となる。画面の切り換えを行う場合には、他の通話相手の画面に切り換えたり、インターネットの画面に切り換えが可能である。また、同時に複数の画面を表示させたりしてもよい。また、ソフトキーボード等の使用により、電子メールの文書の記載等も平行してできる。
【０１３７】
また、ヒンジ７３を接続した場合には、図１１のように構成されるが、この際、本体ケース１Ｂの表面にてキー操作を行い、更にインターネット接続等の際には、この表示部８１を表面に見ながら背面のジョグダイヤル１６９を裏側に指をまわした状態で操作をすることが可能となる。
【０１３８】
次に、本発明の第９実施形態について説明する。
本発明の第９実施形態は、キーを常時本体ケース１Ａ、１Ｂの側部に突設させず、必要時にのみ突設させて使用するものである。なお、本体ケース１Ａ、１Ｂ共に同様の構成にて可能である。
【０１３９】
図３３において、補助キー２は移動箱１７５の側部前面に突設されている。
そして、この移動箱１７５はバネ１７７により図中下方向に付勢されている。  移動箱１７５の左右側部には凹部１７９Ａ、１７９Ｂが形成され、その内部には突出棒１８１Ａ、１８１Ｂがそれぞれ配設され、この突出棒１８１Ａ、１８１Ｂは内蔵されたバネ１８３Ａ、１８３Ｂにより突出棒１８１Ａ、１８１Ｂが外方に向けて突出されるように付勢されている。
【０１４０】
また、突出棒１８１Ａ、１８１Ｂの所定部にはピン１８５Ａ、１８５Ｂがそれぞれ配設されている。
更に、このピン１８５Ａ、１８５Ｂに対し、傾斜された先端面を有するボタン１８７Ａ、１８７Ｂが移動箱１７５の前面側に向けて突出されている。
ボタン１７７Ａ、１７７Ｂの傾斜面はボタン１８７Ａ、１８７Ｂがそれぞれ押されたときにピン１８５Ａ、１８５Ｂが移動箱１７５の内側に向けて移動する方向に傾斜されて傾斜面が形成されている。
突出棒１８１Ａ、１８１Ｂは、それぞれ本体ケース１の内側に形成された凹部１８９Ａ、１８９Ｂに嵌合されることで、停止するようになっている。
【０１４１】
また、移動箱１７５の背面両端部にはフック１９１Ａ、１９１Ｂがそれぞれ配設されている。
このフック１９１Ａ、１９１Ｂの先端は鍵状に形成されており、このフック１９１Ａ、１９１Ｂに対し操作棒１９３の係止部１９３Ａ、１９３Ｂがそれぞれ係止された状態になっている。
そしてこの操作棒１９３の右側端部はバネ１９５により図中左方向に付勢されている。
【０１４２】
一方、操作棒１９３の左端部は、図１４に示す突設部９５、９７により操作され、図中右方向に押されるようになっている。
かかる構成において、図１４で本体ケース１Ｂが開かれると、突設部９５、９７が移動する。
カバーケース７７が閉じられた状態にあっては、この突設部９５は開口９９内に挿入されないが、カバーケース７７が開かれた際には、突設部９５、９７が開口内に挿入され、このとき、操作棒１９３が図３３の右方向に押される。
【０１４３】
この際には、フック１９１Ａ、１９１Ｂの係止が解かれ、バネ１７７の付勢力により移動箱１７５が本体ケース１の前面に突出される。
そして、凹部１８９Ａ、１８９Ｂに突出棒１８１Ａ、１８１Ｂが嵌合されることで移動箱１７５は停止される。
従って、このとき補助キー２を操作しても移動箱１７５は変動することはなくなる。
【０１４４】
次に、補助キー２を本体ケース１の内部に収納したい場合には、ボタン１８７Ａ、１８７Ｂを本体ケースの前面側から内部に向けて押す。
このとき、ピン１８５Ａ、１８５Ｂがボタン１８７Ａ、１８７Ｂの傾斜面により移動箱１７５の内側に向けて移動されるので、凹部１８９Ａ、１８９Ｂから外され、本体ケース１の奥の方に移動箱１７５が移動される。
そして、フック１９１Ａ、１９１Ｂにより操作棒１９３の係止部１９３Ａ、１９３Ｂに係止された状態となる。
【０１４５】
但し、ボタン１８７を直接人が押すのではなく、図３４に示すようにヒンジ１９７を介して扉１９９を外方より押すことで、扉１９９に連接された当接部２０１によりボタン１８７を押すようにしてもよい。このことにより、扉１９９を閉じることで、同時に移動箱１７５を本体ケース１内に収納自在である。
この場合には、扉１９９の存在により、塵等が本体ケース１内に入ることを防ぐことが可能となる。
【０１４６】
また、常時補助キー２が突出されることで、補助キー２が他の部材に衝突することを避けることができる。
なお、ヒンジ１９７はバネにより付勢され、扉１９９が本体ケース１の内側に向けて閉じられる方向に常時付勢されている。
【０１４７】
次に、本発明の第９実施形態の別態様について説明する。
図３５に示す別態様では、移動箱１７５を適用しない。そして、フック１９１Ａ、１９１Ｂの端部には、それぞれ操作棒２０５が連続されている。そして、この操作棒２０５はバネ１７７により付勢されている。操作棒２０５の先端側部には、支軸２０６が突設されている。ヒンジ１９７周りには扉２０３が配設されると共に、この扉２０３と直角に扉２１１が配設されており、扉２０３が開かれるとこの扉２０３に連動して扉２１１が垂直に立設され、また、扉２０３が閉じられると扉２１１は本体ケース１の底部に水平に回動されるようになっている。また、遊びのための開口２０９を有する突設部材２０７が扉２０３の裏側に固定されている。そして、支軸２０６は開口２０９に通されている。
【０１４８】
扉２０３の裏側には補助キー２が配設され、扉２０３がヒンジ１９７周りに開かれたとき補助キー２が使用可能とされ、また、扉２０３がヒンジ１９７周りに収納されたときに補助キー２が本体ケース１内に内包されるようになっている。  かかる構成において、カバーケース７７が開かれた際には、突設部９５が開口９９内に挿入され、このとき、操作棒１９３が図３３の右方向に押される。
この際には、フック１９１Ａ、１９１Ｂの係止が解かれ、バネ１７７の付勢力により操作棒２０５が本体ケース１の前面に突出される。
【０１４９】
そして、この操作棒２０５が前方に突出されると、扉２０３が開口される。このとき、補助キー２が上方より操作可能となる。また、扉２１１は扉２０３に連動され、扉２０３が開かれたときには扉２１１が垂直に立設されている。
このことにより、扉２０３が開かれたときでも異物等が本体ケース１内に侵入することを防ぐことができる。
【０１５０】
なお、補助キーの側面図を図３６に示す。
補助キー２は、図３６（ａ）に示すように、角型であってもよいが、図３６（ｂ）に示すように下方に向けて傾斜を有し、上方から下方に向けて押したときでもキーが機能するように構成してもよい。
但し、先述の通り、補助キー２は機械接点式のキー以外の例えば、静電容量式センサ、焦電センサ、光電センサ、磁気センサ等のように指が接触、あるいは近接したことを電気的あるいは光学的等に検出可能なものとされてもよい。
【０１５１】
次に、本発明の第１０実施形態について説明する。
本発明の第１０実施形態では、本体ケース２１３に対し本体ケース２１５を水平に移動自在とするものである。
図３７において、本体ケース２１３の側部には溝２１７が形成されている。
【０１５２】
この溝２１７は本体ケース２１３の上半分に属し、まず水平に延長され、本体ケース２１３の右端部にて、この端部に沿って下方向に延長され、かつ本体ケース２１３の底部付近にて所定位置折り返して形成されている。
この溝２１７には摺動部材２１９が溝２１７に沿って摺動自在なようになっている。
摺動部材２１９は本体ケース２１５の左端部より所定位置突出して形成されている。
【０１５３】
そして、本体ケース２１５が図中右方に引き出され、その後溝２１７に沿って下方に押し下げられ戻されることで、本体ケース２１３と本体ケース２１５が水平となる。
【０１５４】
本体ケース２１５の上部にはソケット雄２２１が突設されており、本体ケース２１５が水平にされた後、本体ケース２１３側に押された際にはソケット雌２２３に嵌合されるようになっている。本体ケース２１３、２１５には、本体ケース１Ａ、１Ｂと同様にキーが配設されている。
以上により、本体ケースを分離しておき、引き出すことでキー操作が可能となる。
【０１５５】
なお、記号などのキーはハードキーにて構成されてもよいが、記号入力用補助キーを押すことでソフトキーボードとして表示し、このうちから適当なものを選択し、入力するようにしてもよい。
【０１５６】
次に、ポインティング方法について説明する。
ポインティングデバイスについては、例えば、カバーケース５側に静電容量式のポインティングデバイスを配設する。
しかしながら、キーの間に柱状のポインティングデバイスであるトラックポイントを配設するようにしてもよい。
また、本体ケース１Ａと本体ケース１Ｂとの間のキー配列の隙間にカーソル移動キーを図１７に示すように配設してもよい。
【０１５７】
更に、補助キー２のうちからポインティングデバイスキーを押す。そして、画面中のポインティングの位置は、３段にて構成されたキーのうち上段キーのいずれかを操作した場合には上方向に、中段の右手の操作対象となるいずれかのキーを操作した場合には右方向に、中段の左手の操作対象となるいずれかのキーを操作した場合には左方向に、下段のいずれかのキーが操作された場合には下方向に移動するようにしてもよい。なお、例えば上段キーと右側の中段キーを同時に操作した場合には、ポインティングは斜め右上方に移動する。
【０１５８】
また、補助キー２のうちから、カーソル移動キーを押す。画面中のカーソルの位置は、３段にて構成されたキーのうち上段キーのいずれかを操作した場合には上方向に、中段の右手の操作対象となるいずれかのキーを操作した場合には右方向に、中段の左手の操作対象となるいずれかのキーを操作した場合には左方向に、下段のいずれかのキーが操作された場合には下方向に移動するようにしてもよい。
なお、本体ケース１の裏側には、操作中に位置ずれしないようにゴムなどを貼り付けてもよい。
【０１５９】
次に、本発明の第１１実施形態について説明する。
本発明の第１１実施形態では、本体ケース２３１をカバーケース２３３と分離自在とするものである。
図３８において、本体ケース２３１にはキーやジョグダイヤルなどが配設されている。
一方、カバーケース２３３側には表示部２３５が配設されている。
この本体ケース２３１とカバーケース２３３とはヒンジ２３７で連結されている。
【０１６０】
カバーケース２３３には受話孔２３９が配設され、本体ケース２３１には送話孔２４１及び受話孔２４３が所定位置に形成されている。
ヒンジ２３７は前述の通り分離可能であり、分離した場合には、受話孔２４３に耳を当てた状態で、表示部２３５に表示された相手の顔等を見ながら通話をすることができる。
【０１６１】
カバーケース２３３を本体ケース２３１とは離隔できるので、ユーザにとって見易い適当な位置にカバーケース２３３を置いた状態でキー操作できる。このとき、ヒンジ２３７を図６のように構成すれば、ソケット雄をカバーケース２３３の裏側に任意の角度分回すことで、ソケット雄はカバーケース２３３を立設させる台座として機能可能である。但し、カバーケース２３３を空間の適所に掛止等するため、カバーケース２３３にはフック若しくは磁石等による適当な掛止部材を付設するようにしてもよい。
なお、ケーブル２１を用いず、カバーケース２３３と本体ケース２３１間を無線等にて交信するようにしてもよい。
【０１６２】
次に、送話孔２４１と受話孔２４３の距離を確保するため、図３９に示すように送話孔２４７の位置をＬ字状の延長部材２４５にて本体ケース２３１から出没自在としてもよい。
この場合には、延長部材２４５を突出させることで送話孔２４７の位置を口元近くに位置させることができる。
なお、図４０に示すように、延長部材２４５を配設せずにアンテナ２４９を利用しこの内部にケーブルを配設する。
【０１６３】
そして、アンテナ先端部に送話孔２５１を併設するようにしてもよい。
この場合には、送話孔２５１に至るケーブル２５３を自動巻取りするためのリール２５５を、本体ケース２３１内部に配設するのが望ましい。
上述したように、本発明は移動可能なコンピュータとして利用できるほか、携帯電話としても利用可能である。
また、本発明は電子辞書などとして機能させることも可能である。
更に、コンピュータ、携帯電話、電子辞書などのそれぞれを独立させた機能として構成してもよいが、複数を一体化して構成するようにしてもよい。
【０１６４】
次に、本発明の第１２実施形態について説明する。本発明の第１２実施形態の側面構成図を図４１に示す。
本体ケース１Ａの端部の側部には図示しないソケット雌が配設されている。
そして、このソケット雌に対しソケット雄２６１が嵌合されるようになっている。
このソケット雄２６１には、回動自在な回動部を経てコの字状の延長ボード２６３が配設されている。
【０１６５】
延長ボード２６３の端部付近の内側には、係止部２６５が突設されている。そして、この延長ボード２６３が本体ケース１Ａ側に倒された場合には、本体ケース１Ａの端部にて係止されるようになっている。
また、延長ボード２６３の表面には補助キー２に加え、例えばカーソルキーやタブキー、ホームキー、エンドキー、エスケープキー、インサートキー、Ｆ１〜Ｆ１２のファンクションキー、ショートカットキーなどが配設されている。
【０１６６】
そして、このキーのケーブルはソケット雄２６１を介して本体ケース１Ａ側に接続されている。
延長ボード２６３は付属品として用いられ、ソケット雄２６１をソケット雌に対し嵌合させることで携帯型情報処理装置８０に対し接続される。
従って、ユーザーは利用されやすい形のキー配列を採用することができる。
【０１６７】
次に、本発明の第１３実施形態について説明する。本発明の第１３実施形態の構成図を図４２に示す。
図４２において、携帯型情報処理装置２８０では、本体ケース１Ａに対し、内側に表示部７９、表面に表示部８１（図示略）を有するカバーケース７７がヒンジ７５を介して配設されている。そして、このカバーケース７７と同様に、本体ケース１Ｂには内側に表示部２７９を有するカバーケース２８３がヒンジ２８５を介して配設されている。また、このカバーケース２８３の表面には、図３８の本体ケース２３１と同じように、キーやジョグダイヤル等が配設されている（図示略）。
【０１６８】
かかる構成において、カバーケース２８３を本体ケース１Ｂと合わせ、かつカバーケース７７を本体ケース１Ａと合わせた後、ヒンジ７３回りに閉じることで携帯型情報処理装置２８０を折り畳むことができる。また、ヒンジ７３回りに開いた状態では、表示部８１で画面表示しつつカバーケース２８３の表面のキーやジョグダイヤル等を操作して、携帯電話や電子メール、インターネット等を行うことができる。
【０１６９】
更に、カバーケース２８３を本体ケース１Ｂから開き、かつカバーケース７７を本体ケース１Ａから開くことで、フルサイズのＪＩＳ配列キーボードによるキー入力が可能となる。そして、この際には、表示部７９と表示部２７９の双方の画面に文字や映像を表示することが可能となる。表示方法としては、例えば１行内文字数が３６桁であるとき、先頭の１８桁を表示部２７９に表示し、かつ後方の残り１８桁を表示部７９に表示して２つの表示部を合わせて見ることで一つのファイルを表示したり、１画像の左半分を表示部２７９に表示し、かつ右半分を表示部７９に表示したりすることができる。双方の画面に表示することで、拡大された画面として使用できる。但し、各表示部に対し、それぞれ異なるファイルを開くようにしてもよい。
【０１７０】
次に、本発明の第１４実施形態について説明する。
本発明の第１４実施形態の構成図を図４３〜図４５に示す。図４３は本発明の第１４実施形態の全体平面図、図４４はわに口クリップ付近の様子を示す図、図４５は、本発明の第１４実施形態の全体側面図である。
図４３において、携帯型情報処理装置１０の本体ケース１Ａ、１Ｂのヒンジ７３に近い係止部３０２Ａ、３０２Ｂには、携帯用ストラップ３０１Ａ、３０１Ｂの一端が取り付けられている。そして、この携帯用ストラップ３０１Ａ、３０１Ｂは、図４４に示すようなわに口クリップ３０３Ａ、３０３Ｂの後端部に通されている。携帯用ストラップ３０１Ａ、３０１Ｂは折り返されて長さ調節された後アジャスタ３０５にて止められている。
【０１７１】
わに口クリップ３０３Ｂの側部には、嵌合用突設部３０７が形成され、一方、わに口クリップ３０３Ａの側部には、この嵌合用突設部３０７と位置合わせされた嵌合用凹部３０９が形成されている。そして、嵌合用突設部３０７と嵌合用凹部３０９とが合わされることで、わに口クリップ３０３Ａとわに口クリップ３０３Ｂとが接続可能なようになっている。
【０１７２】
かかる構成において、携帯用ストラップ３０１Ａ、３０１Ｂの長さを適当に調節する。そして、車中等において、ユーザが座っている場合には、わに口クリップ３０３Ａとわに口クリップ３０３Ｂとを衣類やズボンのバンド等に掛止することで、キー操作中に携帯型情報処理装置１０が人から向かって奥方向に移動するのを防止できる。わに口クリップ３０３Ａとわに口クリップ３０３Ｂとを接続すれば、携帯型情報処理装置１０を首から下げることも可能である。
【０１７３】
また、車中等において、ユーザが座っている場合には、足の上若しくは足の上に置かれたカバンの上で操作することができる。カバンの上で操作する場合には、わに口クリップ３０３Ａとわに口クリップ３０３Ｂとをカバンの淵や把手等に掛止する。携帯型情報処理装置１０の携帯用ストラップ３０１Ａ、３０１Ｂを首から下げた、そのままの状態でキー操作されてもよい。
【０１７４】
なお、携帯用ストラップ３０１Ａ、３０１Ｂは、本体ケース１Ａ、１Ｂのヒンジ７３より遠い係止部３１２Ａ、３１２Ｂに係止されてもよい。両端部を保持することで、一層、携帯型情報処理装置１０は移動することなく安定保持される。  次に、本発明の第１５実施形態について説明する。本発明の第１５実施形態の構成図を図４６に示す。
【０１７５】
図４６において、携帯型情報処理装置３００の本体ケース１Ａ、１Ｂのヒンジ７３に近い係止部３０２Ａ、３０２Ｂには、携帯用ストラップ３２１Ａ、３２１Ｂの一端が取り付けられている。そして、この携帯用ストラップ３２１Ａ、３２１Ｂの他端は、それぞれ親指用リング３２３Ａ、３２３Ｂに止められている。親指用リング３２３Ａ、３２３Ｂの底部には押圧センサ３２５Ａ、３２５Ｂがそれぞれ埋設されている。
【０１７６】
押圧センサ３２５Ａ、３２５Ｂは、例えば圧電素子であるＰＺＴやマイクロスイッチ等である。押圧センサ３２５Ａ、３２５Ｂは、携帯用ストラップ３２１Ａ、３２１Ｂ内に埋設された電線を経由して本体ケース３３１Ａ、３３１Ｂと接続されている。この押圧センサ３２５Ａ、３２５Ｂは、変換キー、無変換キー（又はスペースキー）等の代わりとして備えられている。そして、押圧センサ３２５Ａ、３２５Ｂが押圧されることで、圧力／電圧変換された信号が本体ケース３３１Ａ、３３１Ｂに送られ、変換キー、無変換キー等が押圧されたとして感知されるようになっている。
【０１７７】
また、この親指用リング３２３Ｂの側部には、嵌合用突設部３２７が形成され、一方、親指用リング３２３Ａの側部には、この嵌合用突設部３２７と位置合わせされた嵌合用凹部３２９が形成されている。そして、嵌合用突設部３２７と嵌合用凹部３２９とが合わされることで、親指用リング３２３Ａと親指用リング３２３Ｂとが接続可能なようになっている。
【０１７８】
かかる構成において、嵌合用突設部３２７と嵌合用凹部３２９とを合わせることで、一つの携帯用ストラップとして使用可能である。また、親指用リング３２３Ａと親指用リング３２３Ｂとを左右の親指にそれぞれ装着して、机の上やカバンの上等の面に対し押圧センサ３２５を押しつけたり、開放したりすることで、変換キー、無変換キー等を操作したように処理できる。
【０１７９】
なお、図４７に示すように、親指用リング３３３Ａと親指用リング３３３Ｂとを本体ケース３３１Ａ、３３１Ｂ内部に収納しておき、必要時には本体ケース３３１Ａ、３３１Ｂの側部より引出し自在としてもよい。但し、親指用リング３２３Ａと親指用リング３２３Ｂ、親指用リング３３３Ａと親指用リング３３３Ｂとは、両方必ず必要なものではなく、いずれか一方のみ配設するようにしてもよい。
【０１８０】
また、押圧センサ３２５に代えて、赤外線等の送受光素子を配設するようにしてもよい。この場合には、親指用リング３２３、３３３から照射された光が机面等で反射され、受光されるまでの時間を測定する。そして、その時間から距離を演算することで、変換キー、無変換キー等が操作されたことを判定する。
【０１８１】
以上により、本体ケース３３１Ａ、３３１Ｂの側部にはキーを配設しないか、若しくは限られた少数のキーのみに限定することができる。従って、構成を簡素にできる。また、本体ケース１Ａ、１Ｂの側方から押すことがないので、本体ケース１Ａ、１Ｂが移動することなく安定する。
【０１８２】
次に、本発明の第１６実施形態について説明する。本発明の第１６実施形態の構成図を図４８に示す。
図４８において、携帯型情報処理装置３５０の本体ケース３３１Ｂには親指用リング３３３Ｂが配設され、変換キー、無変換キー、スペースキー等の操作が可能なようになっている。一方、本体ケース３３１Ａの親指用リング３３３Ａには、押圧センサ３２５を配設せず、代わりに小型のマウス部３４１が配設されている。マウス部３４１の一簡略構成例を、例えば図４９に示す。
【０１８３】
マウス部３４１の下部には、親指用リング３３３Ａが移動されたとき、机上等に接触しつつ回転する球体３４３が底部の一部のみが露出された状態で収納されている。この球体３４３の中心Ｏ点を通るｘ軸上とｙ軸上とには、それぞれ所定位置に軸支された回転軸３４４、３４６を中心として回動自在の円盤３４５、３４７が配設され、この円盤３４５、３４７の側面は球体３４３と接触している。
【０１８４】
また、この球体３４３は、円盤３４５、３４７からそれぞれ１３５度ずつ離隔された位置に配置された押圧機構３４９により矢印方向に付勢されている。更に、円盤３４５、３４７には、それぞれ回転軸３４４、３４６の軸方向に貫通する図示しない孔が形成され、この孔の両端部には孔の回動を検出する図示しない光学手段が配設されている。そして、球体３４３の任意の回動に伴い、円盤３４５、３４７はそれぞれｘ軸方向の変位、ｙ軸方向の変位として検出されるようになっている。
【０１８５】
また、本体ケース３３１Ａには、クリック用キー３５１が配設されている。このクリック用キー３５１の構造図を図５０に示す。図５０において、支軸３５３の両端は底面３５４に固定されている（図示略）。この支軸３５３により左端部を軸支された右側半分キー３５５Ａは、その右端底部に突設部３５７Ａを有している。一方、支軸３５３により右端部を軸支された左側半分キー３５５Ｂは、その左端底部に突設部３５７Ｂを有している。
【０１８６】
右側半分キー３５５Ａは底面３５４よりバネ３５９Ａを介して上方に付勢されている。同様に左側半分キー３５５Ｂは底面３５４よりバネ３５９Ｂを介して上方に付勢されている。突設部３５７Ａと対峙する底面３５４にはスイッチ３６１Ａが、また突設部３５７Ｂと対峙する底面３５４にはスイッチ３６１Ｂが配設されている。そして、右側半分キー３５５Ａが押されることでスイッチ３６１ＡがＯＮして右クリックとして機能し、左側半分キー３５５Ｂが押されることでスイッチ３６１ＢがＯＮして左クリックとして機能するようになっている。
【０１８７】
かかる構成において、親指用リング３３３Ｂにより変換キー（無変換キー、スペースキー等とされてもよい）の操作が可能である。そして、親指用リング３３３Ａを球体３４３を机等に接触させつつ移動することで、表示部７９に表示されたマウスポイントを移動のあったｘ軸方向の変位、ｙ軸方向の変位に相当する分移動させることができる。また、クリック用キー３５１を押すことで、右クリック、左クリック、ダブルクリック等の処理を行うことができる。
【０１８８】
なお、本実施形態では、親指用リング３３３Ａには、小型のマウス部３４１を配設するとして説明したが、これに限るものではなく、マウスポイントを操作可能な他のポインティングデバイスで構成されてもよい。このポインティングデバイスとしては、例えばレーザ光を机等の面に照射し、その反射光を検出することで距離変動を光学的に検出するもの等であってもよい。
【０１８９】
次に、本発明の第１７実施形態について説明する。本発明の第１７実施形態の構成図を図５１に示す。
図５１において、携帯型情報処理装置３７０の本体ケース３７１Ａ、３７１Ｂの側部には、引出し及び収納自在のタッチパッド型のポインティングデバイス３７３Ａ、３７３Ｂが配設されている。このポインティングデバイス３７３Ａ、３７３Ｂは、例えば静電容量方式であり、指による接触移動操作によりマウスポイントを操作可能で、かつ指を軽く触れることでクリック等の操作も可能なようになっている。ポインティングデバイス３７３Ａ、３７３Ｂは、いわゆる昨今のモバイルパソコンに広く搭載されているものと同じものである。
【０１９０】
かかる構成において、キー操作する際には、ポインティングデバイス３７３Ａ、３７３Ｂを引出す。このポインティングデバイス３７３Ａ、３７３Ｂを親指で軽く触れ、クリック操作することで、それぞれ変換キーや無変換キー（スペースキー等とされてもよい）の操作が可能である。また、ポインティングデバイス３７３Ａ、３７３Ｂ上を親指により接触移動操作させることで、マウスポイントを操作可能である。キー操作を行わない場合には、ポインティングデバイス３７３Ａ、３７３Ｂを本体ケース３７１Ａ、３７１Ｂ内部に収納する。但し、ポインティングデバイス３７３Ａ、３７３Ｂは、一つのみ配設するようにしてもよい。
【０１９１】
なお、図５２に示すように、同様のポインティングデバイス３７５を本体ケース３７１Ｂの側部から収納・引出し自在としてもよい。このポインティングデバイス３７５にはケーブル３７７が接続されている。また、ポインティングデバイス３７５の上側両端部にはフック３７９Ａ、３７９Ｂが配設され、このフック３７９Ａ、３７９Ｂと掛止自在なフック３８１Ａ、３８１Ｂがそれぞれ本体ケース３７１Ａ、３７１Ｂの側部に配設されている。
【０１９２】
そして、使用に際しては、ポインティングデバイス３７５を本体ケース３７１Ｂの側部から引き出す。この状態で上述と同様に変換キーや無変換キー（スペースキー等とされてもよい）の操作やマウスポイントの操作が可能である。ポインティングデバイス３７５のフック３７９Ａ、３７９Ｂをフック３８１Ａ、３８１Ｂに掛ければ、ポインティングデバイス３７５を安定保持できる。
【０１９３】
また、上述の各実施形態では操作部１７Ａ、１７Ｂのキーボードを機械的なキーにて構成したが、これらのすべてのキーを例えば静電容量方式のタッチパッド型として構成してもよい（図示略）。このとき、タッチパッド型の表面には各キーの図柄（各キーの図柄は図５２に示す操作部１７Ａ、１７Ｂのキー図と同様なので省略する）を描き、それぞれのキーがタッチされたときにはそのタッチ位置からいずれのキーが押されたかを判断する。
【０１９４】
また、このタッチパッド型の表面を指による接触移動操作することでマウスポイントを操作可能である。この際には、各キーの境界に関わることなく、また各キーの存在を意識することなく、各キーを跨いで自由方向に指を接触移動操作させることで、マウスポイントの移動距離を長く取ることも可能である。接触移動された開始の座標位置と終了の座標位置とは検出された後、演算処理されて移動距離や移動方向が測定される。この移動距離や移動方向に基づきマウスポイントの位置が変更される。
【０１９５】
更に、タッチパッドは、人の接触により電気抵抗変化を起こすものであってもよい。このとき、指の接触による電気抵抗変化のあった箇所を検出することで、いずれのキーが押されたか等を判断可能である。
更に、タッチパッドとして圧電素子を配設し、指の押圧による圧電変化のあった箇所を検出することで、いずれのキーが押されたか等を判断してもよい。
【０１９６】
次に、本発明の第１８実施形態について説明する。本発明の第１８実施形態の構成図を図５３に示す。
図５３において、携帯型情報処理装置４００の本体ケース４０１Ａ、４０１Ｂの側部には、レーザ光（又は赤外線や超音波、磁気センサ、赤外線による焦電センサ等であってもよい）の送光素子４０３Ａ、４０３Ｂがそれぞれ配設されている。そして、この送光素子４０３Ａ、４０３Ｂから送られた光が、ユーザの親指により反射されて受光素子４０５Ａ、４０５Ｂで受光されるようになっている。
【０１９７】
かかる構成において、本体ケース４０１Ａと本体ケース４０１Ｂとが開かれたことをスイッチ８７で検出すると、送光素子４０３Ａ、４０３Ｂからは、一定間隔毎に光が本体ケース４０１Ａ、４０１Ｂの側方に向けて送光される。このとき、送光素子４０３Ａからの光を遮るように送光素子４０３Ａの近くをユーザの右親指が通過すると、この親指により光が反射されて受光素子４０５Ａでは受光する。このため、例えば右親指を上下動させることで変換キー（スペースキー等とされてもよい）等の操作がされたと判断可能である。同様に、送光素子４０３Ｂ及び受光素子４０５Ｂにより左親指を上下動させることで無変換キー（スペースキー等とされてもよい）の操作がされたと判断可能である。
【０１９８】
但し、この左親指を上下動させることで、クリック又はダブルクリックを判断するようにしてもよい。なお、各キーの送受光素子は、赤外線による焦電センサのみで構成することも可能である。また、親指による光の反射を確実にするために、ユーザの親指には、光を全角度に反射可能なように所定のカットの施された金属製の指輪を装着するようにしてもよい。更に、例えば、磁化した状態の金属製の指輪をユーザの指に装着する。一方、磁気センサを送受光素子の代わりに配設することにより、指輪の空間移動に伴う磁界の変化を磁気センサを介して電気的に検出するようにしてもよい。
【０１９９】
このことにより、機械的なキーを要さずに簡素に構成でき、携帯にも便利である。また、本体ケース４０１Ａ、４０１Ｂの側方から押すことがないので、本体ケース４０１Ａ、４０１Ｂが移動することなく安定する。
【０２００】
なお、本実施形態では、変換キーや無変換キー等の補助キーについて光等による送受光に基づく判断を行うとしたが、操作部１７Ａ、１７Ｂのキーボードに属する各キーについても、同様に光等による送受光に基づく判断を行うようにしてもよい。このとき、本体ケース４０１Ａ、４０１Ｂの表面には各キーの図柄（各キーの図柄は図５３に示す操作部１７Ａ、１７Ｂのキー図と同様なので省略する）を描き、その各キーの図柄の中にそれぞれ送光素子４０３と受光素子４０５を配設する。各キーがタッチされたときには送光された光が遮られることで、いずれのキーが押されたかを判断可能である。なお、各キーの送受光素子は、赤外線による焦電センサのみで構成することも可能である。
このことにより、機械的なキーを要さずに一層簡素に構成でき、携帯にも便利である。
【０２０１】
次に、本発明の第１９実施形態について説明する。本発明の第１９実施形態の構成図を図５４に示す。
図５４において、携帯型情報処理装置４２０の本体ケース４２１Ａには、レーザ光（又は赤外線や超音波、磁気センサ、赤外線による焦電センサ等であってもよい）による座標検出部４２３が配設されている。そして、この座標検出部４２３から送られた光が、ユーザの親指４２５により反射されて受光素子４２７で受光されるようになっている。座標検出部４２３の構成図を図５５に示す。
【０２０２】
図５５において、揺動モータ４２９の回転軸４３１の先端部にはミラー４３３が取り付けられている。そして、送光素子４３５から送光されたレーザ光は、ミラー４３３の表面で反射され、その反射光が本体ケース４２１Ａの外部へと出ていくようになっている。
【０２０３】
かかる構成において、本体ケース４２１Ａと本体ケース４２１Ｂとが開かれたことをスイッチ８７で検出すると、座標検出部４２３の動作が開始される。まず、揺動モータ４２９により、回転軸４３１は所定角度範囲内で所定時間間隔で揺動される。その結果、ミラー４３３も揺動され、送光素子４３５から送光されたレーザ光は所定角度範囲内に振られて反射する。本体ケース４２１Ａの外部へと出されたレーザ光は、ユーザの親指４２５により反射される。
【０２０４】
そして、この反射光は受光素子４２７で受光される。光の伝搬時間を計測することで、親指４２５の位置までの距離を計算できる。そして、この距離と揺動の角度とから親指４２５の位置座標（図中、座標（Ｘ，Ｙ）で示す）を演算できる。従って、親指４２５を水平に移動させることで、座標（Ｘ，Ｙ）の起点から終点までを随時計測し、この移動距離や移動方向に基づきマウスポイントの位置を更新することが可能である。
【０２０５】
また、親指４２５をこの送光されたレーザ光に対し上下動作により一時的に遮断することで、クリック又はダブルクリックや変換キー等を判断するようにしてもよい。但し、座標検出部４２３に対しクリック又はダブルクリックとしての機能をも持たせた場合には、変換キー等を別途上述の各実施形態のように配設する必要がある。一方、座標検出部４２３に対し変換キー等の機能をも持たせた場合には、クリック又はダブルクリックとしての機能を別途上述の各実施形態のように配設する必要がある。
【０２０６】
次に、本発明の第２０実施形態について説明する。本発明の第２０実施形態の構成図を図５６に示す。
図５６において、携帯型情報処理装置４４０の本体ケース４４１Ｂの側部には、レーザ光（又は赤外線や超音波、磁気センサ、赤外線による焦電センサ等であってもよい）の送光素子４４３が配設されている。そして、この送光素子４４３から送られた光が、ユーザの親指により反射されて、本体ケース４４１Ｂの側部に配設された受光素子４４５で受光されるようになっている。
【０２０７】
また、操作部４４７Ａ、４４７Ｂの３段目のキーはアルファベットのみにて構成されている。そして、数字キーは、この３段目のキーの上方のわずかの縁の部分を利用して、ＪＩＳ配列キーボードと同じ配置にて構成されている。このとき、本体ケース４４１Ａ、４４１Ｂの縁の部分には、各数字キー（ファンクションキーが兼用されている）毎に横長のキーの図柄が描かれ、その各キーの図柄の中にそれぞれ送光素子４０３と受光素子４０５が配設されている。
【０２０８】
かかる構成において、本体ケース４４１Ａと本体ケース４４１Ｂとが開かれたことをスイッチ８７で検出すると、送光素子４４３からは、一定間隔毎に光が本体ケース４４１Ａ、４４１Ｂの側方に沿って図示のように斜めに送光される。このとき、送光素子４４３からの光を遮るようにユーザの右親指又は左親指が通過すると、この親指により光が反射されて受光素子４４５では受光する。
【０２０９】
このため、例えば右親指を上下動させることで変換キー（スペースキー等とされてもよい）等の操作がされたと判断可能である。また、同様に、左親指を上下動させることで無変換キー（スペースキー等とされてもよい）の操作がされたと判断してもよい。図５７に示すように、右親指による光の反射と左親指による光の反射とでは、検出される距離（図５７では距離βと距離α）が異なることから区別できる。このため、右親指による操作と左親指による操作とを判断可能である。
また、右親指や左親指以外の手の部分等からの光の反射を無視するために不感知エリアを設けるようにしてもよい。
【０２１０】
更に、各数字キーの図柄がタッチされ、又は光の遮断がされたときには、受光素子４０５における受光量が増加するので、いずれの数字キーが押されたかを判断可能である。なお、送受光素子は、それぞれ赤外線の波長を異ならせ、受光に際しては各波長を帯域とするフィルタに通すようにしてもよい。この場合には、一層キーの認識精度が向上する。また、各数字キーの送受光素子は、赤外線による焦電センサのみで構成することも可能である。更に、受光素子のみを備え、外部からの入射光量の変化を捉えることで各数字キーのタッチを検出するようにしてもよい。
【０２１１】
このことにより、補助キーや数字キーには、機械的なキーを要さずに簡素に構成でき、携帯にも便利である。本体ケース４４１Ａと本体ケース４４１Ｂの幅も狭く構成できる。また、本体ケース４４１Ａ、４４１Ｂの側方から押すことがないので、本体ケース４４１Ａ、４４１Ｂが移動することなく安定する。
【０２１２】
次に、親指４２５の移動距離や移動方向に基づきマウスポイントの位置を更新する方法について説明する。
図５８の簡略配置図に示すように、本体ケース４４１Ａの端部に送光素子４４３Ａと受光素子４４５Ａを配設し、かつ、本体ケース４４１Ｂの端部に送光素子４４３Ｂと受光素子４４５Ｂを配設する。そして、それぞれの送光素子４４３Ａ、４４３Ｂから親指４２５に向けて送光し、反射された光を受光素子４４５Ａ、４４５Ｂで受光する。
【０２１３】
図５８において、送光素子４４３Ｂと受光素子４４５Ｂの配設位置を座標（０，０）とし、送光素子４４３Ａと受光素子４４５Ａの配設位置を座標（Ｌ，０）とする。送光素子４４３Ｂから送光された光は、距離γで親指４２５の座標Ｍ点（ｘ，ｙ）に届く。一方、送光素子４４３Ａから送光された光は距離δで親指４２５の座標Ｎ点（ｘ＋ａ，ｙ＋ｂ）に届く。距離ａと距離ｂとは、親指４２５の形状に伴う誤差である。
【０２１４】
距離ａと距離ｂとを複数のユーザの平均値と仮定して演算する。測定された距離γと距離δとから座標Ｍ点（ｘ，ｙ）を幾何的演算により算出可能である。このことから、親指４２５を水平に移動させることで、親指４２５の移動距離や移動方向が演算でき、この演算結果に基づきマウスポイントの位置を更新することができる。但し、この幾何的演算を厳密に解くことはＣＰＵにとって負担となる。従って、距離ａと距離ｂとを省略して無視するか、若しくは測定された距離γに対し（ａ2＋ｂ2）1/2を加算して座標Ｎ点までの距離と仮定することで幾何的演算を簡略化することが望ましい。
【０２１５】
また、親指による光の反射を確実にするために、ユーザの親指には、光を全角度に反射可能なように所定のカットの施された金属製の指輪を装着するようにしてもよい。
【０２１６】
更に、親指４２５は右指でも左指でも同様に適用可能である。また、キー操作に際しては、通常、右手の人差し指が「Ｊ」キーに位置され、一方左手の人差し指が「Ｆ」キーに位置されている。このため、右手の親指と左手の親指とはキー操作中、所定距離離隔されている。従って、距離γと距離δのそれぞれの大きさ関係から、検出されている指が右指なのか左指なのか自動判断可能である。その後、この右指あるいは左指の判断結果に基づき、右指あるいは左指に応じた形で距離ａと距離ｂによる補正をかけることができる。更に、前述の通り、親指を上下動させることで変換キー（スペースキー等とされてもよい）等の操作がされたと判断することも可能である。従って、精度の高いマウスポイント操作やキー操作が非接触に可能となる。
【０２１７】
なお、上記では平面上に座標（ｘ，ｙ）を定義したが、例えば、右指の移動によりｘ軸方向、左指の移動によりｙ軸方向のマウスポイント操作等が行えるようにしてもよい。
【０２１８】
次に、本発明の第２１実施形態について説明する。本発明の第２１実施形態の構成図を図５９に示す。
【０２１９】
携帯型情報処理装置１０の本体ケース１の裏側には位置ずれしないようにゴムなどを貼り付けてもよいとして説明した。しかしながら、更に、図５９に示すように本体ケース１の下にシート５０１を敷くようにしてもよい。シート５０１は、例えば車中で人が座った場合において、足の上に直接又は足の上に保持されたカバンの上に置かれる。シート５０１には、ゴム等のすべり難い素材が選択されるのが望ましい。但し、マジックテープ（登録商標）等を本体ケース１の裏側及びシート５０１の表面に配設するようにしてもよい。シート５０１は、下敷きのように固い材質が望ましいがこれに限定するものではなく、保持され易いように柔らかい材質で構成されてもよい。
【０２２０】
次に、本発明の第２２実施形態について説明する。本発明の第２２実施形態の構成図を図６０〜図６２に示す。図６０は携帯型情報処理装置５００が展開されたときの全体展開平面図、図６１は携帯型情報処理装置５００が折り畳まれたときの側面図、図６２は携帯型情報処理装置５００が折り畳まれ、かつヒンジ５１４が分離されたときの様子を示す平面図である。
【０２２１】
図６０〜図６２において、本体ケース５１１と本体ケース５１３とはヒンジ５１４を介して折り畳み自在なようになっている。また、本体ケース５１１は、本体ケース上部５１１Ａと、この本体ケース上部５１１Ａの下辺に対しヒンジ５１５を介して連接された本体ケース下部５１１Ｂとで構成されている。
【０２２２】
同様に、本体ケース５１３は、本体ケース上部５１３Ａと、この本体ケース上部５１３Ａの下辺に対しヒンジ５１７を介して連接された本体ケース下部５１３Ｂとで構成されている。本体ケース下部５１１Ｂ及び本体ケース下部５１３Ｂとは補助本体ケースに相当する。
【０２２３】
また、本体ケース５１１の側部にはヒンジ７５を介してカバーケース５１８が配設され、このカバーケース５１８は本体ケース５１１の上に折り畳み自在なようになっている。
【０２２４】
図６２において、カバーケース５１８は本体ケース５１１上に重ねられた状態である。そして、ヒンジ５１４において本体ケース５１１と本体ケース５１３とは分離自在である。図６０において、本体ケース上部５１１Ａ及び本体ケース上部５１３Ａには、アルファベットのキー配列の上２段分（下位より第３段目、第４段目）が配設されている。そして、この第３段と第４段には、エンターキー等の一部の補助キーも配設されている。但し、第４段にはアルファベットキーと数字キーとが併記され、所定のスイッチを押すことで、アルファベットキー列と数字キー列のいずれかが選択可能なようになっている。
【０２２５】
一方、本体ケース下部５１１Ｂ及び本体ケース下部５１３Ｂの内側には、アルファベットのキー配列の最下段分（下位より第２段目）とシフトキー等の一部の補助キーが配設されている。そして、更に下位の第１段目には、変換キーやスペースキー等の補助キーが配設されている。
また、本体ケース下部５１３Ｂの表面には、図６２に示すように、携帯電話用のキーやジョグダイヤル等が配設されている。
カバーケース５１８の内側には、表示部５１９が配設され、表面には表示部５２１が配設されている。
【０２２６】
更に、本体ケース下部５１１Ｂ及び本体ケース下部５１３Ｂの下端側部にはフック５２３が突設され、本体ケース上部５１１Ａ及び本体ケース上部５１３Ａの上端側部に形成された凹部５２５に掛止自在なようになっている。
【０２２７】
かかる構成において、携帯型情報処理装置５００は、図６２のようにヒンジ５１４を開くことで、携帯電話として使用可能である。この際には、本体ケース下部５１３Ｂの表面のキーやジョグダイヤル等によりキー操作する。また、テレビ電話等の場合には、ヒンジ５１４を分離することで、表示部５２１で相手の顔等を見ながら通話可能である。また、本体ケース下部５１１Ｂ及び本体ケース下部５１３Ｂを本体ケース上部５１１Ａ及び本体ケース上部５１３Ａに対して開くことで、ほぼＪＩＳ配列のフルサイズ若しくはフルサイズに近いサイズのキーボードとして使用可能である。このため、キー入力の際にはブラインドタッチが可能である。上方からのキー操作となるため、携帯型情報処理装置５００が移動するおそれも極めて小さい。
【０２２８】
但し、念のため本体ケース５１１、５１３の裏側には位置ずれしないようにゴムなどを貼り付けるようにしてもよい。携帯型情報処理装置５００はキーボード配列を２段で構成できるため、幅を狭くでき、一層携帯に便利である。また、本実施形態では、本体ケース下部５１１Ｂ及び本体ケース下部５１３Ｂを本体ケース上部５１１Ａ及び本体ケース上部５１３Ａの内側に折り畳むとして説明したが、本体ケース上部５１１Ａ及び本体ケース上部５１３Ａの裏側に折り畳むようにしてもよい。
【０２２９】
なお、図６３の携帯型情報処理装置５３０に示すように、本体ケース上部と本体ケース下部のそれぞれのキー配列を３段で構成することも可能である。この場合には、アルファベットキーと数字キーを独立させ、かつファンクションキーＦ１〜Ｆ１０も配設可能である。
【０２３０】
また、本体ケース上部と本体ケース下部のそれぞれのキー配列は等しい段数に限定するものではなく、図６４に示すように、本体ケース下部５１１Ｂ及び本体ケース下部５１３Ｂを１段のキー配列とし、一方、本体ケース上部５１１Ａ及び本体ケース上部５１３Ａを３段のキー配列等としてもよい。この場合であっても、本体ケース下部５１１Ｂ及び本体ケース下部５１３Ｂを本体ケース上部５１１Ａ及び本体ケース上部５１３Ａに対して開くことで、ほぼＪＩＳ配列のフルサイズ若しくはフルサイズに近いサイズのキーボードとして使用可能である。この場合には、本体ケース下部５１１Ｂ及び本体ケース下部５１３Ｂを本体ケース上部５１１Ａ及び本体ケース上部５１３Ａの裏側に折り畳むのが望ましい。
【０２３１】
次に、本発明の第２３実施形態について説明する。本発明の第２３実施形態の構成図を図６５及び図６６に示す。図６５は携帯型情報処理装置６００の本体ケース下部が本体ケース上部より引き出されたときの全体平面図、図６６は携帯型情報処理装置６００の本体ケース下部が本体ケース上部に収納されたときの全体側面図である。図６５の携帯型情報処理装置６００において、本体ケース６１１と本体ケース６１３とは、ヒンジ５１４を介して折り畳み自在なようになっている。また、本体ケース６１１は、本体ケース上部６１１Ａと、この本体ケース上部５１１Ａより引出し自在の本体ケース下部６１１Ｂとで構成されている。
【０２３２】
同様に、本体ケース６１３は、本体ケース上部６１３Ａと、この本体ケース上部６１３Ａより引出し自在の本体ケース下部６１３Ｂとで構成されている。本体ケース下部６１１Ｂ及び本体ケース下部６１３Ｂとは補助本体ケースに相当する。
また、本体ケース６１１の側部にはヒンジ７５を介してカバーケース５１８が配設され、このカバーケース５１８は本体ケース６１１の上に折り畳み自在なようになっている。
【０２３３】
ヒンジ５１４において本体ケース６１１と本体ケース６１３とは分離自在である。図６５において、本体ケース上部６１１Ａ及び本体ケース上部６１３Ａには、アルファベットのキー配列の上２段分（下位より第３段目、第４段目）が配設されている。そして、この第３段と第４段には、エンターキー等の一部の補助キーも配設されている。但し、第４段にはアルファベットキーと数字キーとが併記され、所定のスイッチを押すことで、アルファベットキー列と数字キー列のいずれかが選択可能なようになっている。
【０２３４】
一方、本体ケース下部６１１Ｂ及び本体ケース下部６１３Ｂの内側には、アルファベットのキー配列の最下段分（下位より第２段目）とシフトキー等の一部の補助キーが配設されている。そして、更に下位の第１段目には、変換キーやスペースキー等の補助キーが配設されている。
【０２３５】
また、本体ケース上部６１３Ａのキーは、図１１に示すように、表面に携帯電話用の縦キーが併記の形で配設されてもよい。但し、数字、アルファベット、ひらがなのキーは２段にて構成される。ジョグダイヤル等は、図３２と同様に、本体ケース下部６１３Ｂの背面に配設される。
カバーケース５１８の内側には、表示部５１９が配設され、表面には表示部５２１が配設されている。
【０２３６】
かかる構成において、携帯型情報処理装置６００は、携帯時には本体ケース下部６１１Ｂ及び本体ケース下部６１３Ｂが、それぞれ本体ケース上部６１１Ａ及び本体ケース上部６１３Ａに収納されている。そして、キーボードとして使用する際には、本体ケース下部６１１Ｂ及び本体ケース下部６１３Ｂを、それぞれ本体ケース上部６１１Ａ及び本体ケース上部６１３Ａから引き出す。
【０２３７】
以上により、キー入力の際にはブラインドタッチが可能である。上方からのキー操作となるため、携帯型情報処理装置６００が移動するおそれも極めて小さい。
【０２３８】
なお、図６７の携帯型情報処理装置６３０に示すように、本体ケース上部と本体ケース下部のそれぞれのキー配列を３段で構成することも可能である。この場合には、アルファベットキーと数字キーを独立させ、かつファンクションキーＦ１〜Ｆ１０も配設可能である。
【０２３９】
また、本体ケース上部と本体ケース下部のそれぞれのキー配列は等しい段数に限定するものではなく、図６８に示すように、本体ケース下部６１１Ｂ及び本体ケース下部６１３Ｂを１段のキー配列とし、一方、本体ケース上部６１１Ａ及び本体ケース上部６１３Ａを３段のキー配列等としてもよい。この場合であっても、本体ケース下部６１１Ｂ及び本体ケース下部６１３Ｂを本体ケース上部６１１Ａ及び本体ケース上部６１３Ａより引き出すことで、ほぼＪＩＳ配列のフルサイズ若しくはフルサイズに近いサイズのキーボードとして使用可能である。
【０２４０】
次に、本発明の第２４実施形態について説明する。本発明の第２４実施形態の構成図を図６９及び図７０に示す。本発明の第２４実施形態は、図５６に示す携帯型情報処理装置４４０の本体ケース４４１Ａ側に本体ケース４４１Ａを被覆しつつ摺動自在な延長ボード６５１を配設したものである。延長ボード６５１の表面には補助キーやテンキー、カーソルキー等が配設されている。延長ボード６５１はコの字状に形成され、かつこの延長ボード６５１の側部内側には内側に向けて摺動突設部６５７、６５９が突設されている。そして、この摺動突設部６５７、６５９は、それぞれ本体ケース４４１Ａの両側部に配設された溝６５３、６５５に沿って摺動自在なようになっている。但し、延長ボードは、本体ケース４４１Ｂ側にも配設されるようにしてもよい。
【０２４１】
延長ボード６５１の上端部内側には、係止部６６１が突設されている。この係止部６６１にはコネクタ雄６６３が配設されている。一方、本体ケース４４１Ａの上端部には、係止部６６５がコの字状に突設されている。また、この係止部６６５にはコネクタ雌６６７が配設されている。そして、この延長ボード６５１が本体ケース４４１Ａの端部に到達した場合には、延長ボード６５１は本体ケース４４１Ａの係止部６６５にて停止され、かつ、この際にはコネクタ雄６６３がコネクタ雌６６７に対し嵌合されるようになっている。
なお、延長ボード６５１は、箱筒形状とされ、ヒンジ７５を通過させるように側部に長穴が形成されるようにしてもよい。
【０２４２】
かかる構成において、キー操作する際には、延長ボード６５１を図６９中、右方向に向けて摺動させ開く。この際には、コネクタ雄６６３がコネクタ雌６６７に対し嵌合され電気的に接続されると共に、延長ボード６５１が本体ケース４４１に対し固定される。そして、キー操作の終了した際には、延長ボード６５１を図６９中、左方向に向けて摺動させ閉じる。
【０２４３】
なお、延長ボード６５１は、本体ケース４４１から外せるようにされてもよい。この場合には、例えば、本体ケース４４１Ａ及び本体ケース４４１Ｂを水平とした状態で、延長ボード６５１を摺動させ、本体ケース４４１Ａ側より本体ケース４４１Ｂ側に向けて引き抜くようにする。
以上により、携帯が容易でありつつ、一層操作のし易い携帯型情報処理装置を提供できる。
【符号の説明】
【０２４４】
１、１Ａ、１Ｂ、２１３、２１５、２３１、３３１Ａ、３３１Ｂ、３７１Ａ、３７１Ｂ、４０１Ａ、４０１Ｂ、４２１Ａ、４２１Ｂ、４４１Ａ、４４１Ｂ、５１１、５１３、６１１、６１３  本体ケース
２、２Ａ、２Ｂ  補助キー
３ａ、３ｂ  カバーケース側端部
３、６７、７３、７５、１２３、１９７、２３７、２８５、５１４、５１５、５１７  ヒンジ
３ｃ、１４３Ａ、１４３Ｂ、１６１Ａ、１７９Ａ、１８９Ａ、５２５  凹部
３ｄ  本体ケース側端部
５、７７、２３３、２８３、５１８  カバーケース
７Ｂ  右側画面
７Ａ  左側画面
７、７９、８１、２３５、２７９、５１９、５２１  表示部
９  スピーカ
１０、８０、２８０、３００、３５０、３７０、４００、４２０、４４０、５００、５３０、６００、６３０  携帯型情報処理装置
１１  通話キー
１３  電源
１５  カメラ
１７、１７Ａ、４４７Ａ  操作部
１９、２４９  アンテナ
２１、２５３、３７７  ケーブル
３７ａ、２１７  溝
３９ａ、４５ａ  穴
４１ａ、１０９、１１１、１１７、１５７Ａ、１５７Ｂ、１７７、１８３Ａ、１９５、３５９Ａ  バネ
４３ａ  進退出部材
４７ａ  空洞
４９ａ  円板
５１ａ、１７７Ａ、１８７、１８７Ａ  ボタン
６１、９５、９７、１６３、３５７Ａ、３５７Ｂ  突設部
６３、８５、１７１、２４１、２４７、２５１  送話孔
６５、８３、９３、１７３、２３９、２４３  受話孔
６９、８９、１２５Ａ、１２５Ｂ、２２１、２６１、  ソケット雄
７１、９１、１２７Ａ、１２７Ｂ、１２９Ａ、２２３  ソケット雌
８４  トラックポイント
８５Ｂ  上段キー
８５Ａ  下段キー
８７  スイッチ
９９、２０９  開口
１０１  ストッパー
１０４  シーソー板
１０５  軸
１０７  水平板
１１３  傾斜部
１１５、２１９  摺動部材
１１９  水平棒
１２１、１５５Ａ、１６５、２０７  突設部材
１３１  保持棒
１３３  水平支軸
１３５  鉛直支軸
１３７  コネクタ雄
１３９  コネクタ雌
１４１、１４７、１４９  回転筒
１４５Ａ  板バネ
１４７Ａ、１４７Ｂ  突設棒
１４９Ａ、１４９Ｂ  停止板
１５１  ネジ
１５３Ａ  空洞部
１５９Ａ  垂直面
１６７  筒体
１６９  ジョグダイヤル
１７５  移動箱
１８１Ａ  突出棒
１８５Ａ  ピン
１９１Ａ、３７９Ａ、３８１Ａ、５２３  フック
１９３Ａ、２６５、３０２Ａ、３１２Ａ  係止部
１９３、２０５  操作棒
１９９、２０３、２１１  扉
２０１  当接部
２４５  延長部材
２５５  リール
２６３  延長ボード
２６７、３７３Ａ、３７５  ポインティングデバイス
２７１Ａ  カーソルキー
３４１  マウス部
４３３  ミラー
４０５、４０５Ａ、４０５Ｂ、４２７、４４５、４４５Ａ、４４５Ｂ  受光素子
３４４、４３１  回転軸
３０９、３２９  嵌合用凹部
３０７、３２７  嵌合用突設部
４２３  座標検出部
２６３  延長ボード
２４５  延長部材
１９９、２０３、２１１  扉
３２５  押圧センサ
４２９  揺動モータ
３０１Ａ、３２１Ａ  携帯用ストラップ
５０１  シート
５１１Ａ、５１３Ａ、６１１Ａ、６１３Ａ、本体ケース上部
５１１Ｂ、５１３Ｂ、６１１Ｂ、６１３Ｂ  本体ケース下部
３４３  球体
４２５  親指
３２３、３２３Ａ、３２３Ｂ、３３３Ａ、３３３Ｂ  親指用リング
４０３、４０３Ａ、４０３Ｂ、４３５、４４３、４４３Ａ、４４３Ｂ  送光素子
【図１】
2011175671.tif 000003
【図２】
2011175671.tif 000004
【図３】
2011175671.tif 000005
【図４】
2011175671.tif 000006
【図５】
2011175671.tif 000007
【図６】
2011175671.tif 000008
【図７】
2011175671.tif 000009
【図８】
2011175671.tif 000010
【図９】
2011175671.tif 000011
【図１０】
2011175671.tif 000012
【図１１】
2011175671.tif 000013
【図１２】
2011175671.tif 000014
【図１３】
2011175671.tif 000015
【図１４】
2011175671.tif 000016
【図１５】
2011175671.tif 000017
【図１６】
2011175671.tif 000018
【図１７】
2011175671.tif 000019
【図１８】
2011175671.tif 000020
【図１９】
2011175671.tif 000021
【図２０】
2011175671.tif 000022
【図２１】
2011175671.tif 000023
【図２２】
2011175671.tif 000024
【図２３】
2011175671.tif 000025
【図２４】
2011175671.tif 000026
【図２５】
2011175671.tif 000027
【図２６】
2011175671.tif 000028
【図２７】
2011175671.tif 000029
【図２８】
2011175671.tif 000030
【図２９】
2011175671.tif 000031
【図３０】
2011175671.tif 000032
【図３１】
2011175671.tif 000033
【図３２】
2011175671.tif 000034
【図３３】
2011175671.tif 000035
【図３４】
2011175671.tif 000036
【図３５】
2011175671.tif 000037
【図３６】
2011175671.tif 000038
【図３７】
2011175671.tif 000039
【図３８】
2011175671.tif 000040
【図３９】
2011175671.tif 000041
【図４０】
2011175671.tif 000042
【図４１】
2011175671.tif 000043
【図４２】
2011175671.tif 000044
【図４３】
2011175671.tif 000045
【図４４】
2011175671.tif 000046
【図４５】
2011175671.tif 000047
【図４６】
2011175671.tif 000048
【図４７】
2011175671.tif 000049
【図４８】
2011175671.tif 000050
【図４９】
2011175671.tif 000051
【図５０】
2011175671.tif 000052
【図５１】
2011175671.tif 000053
【図５２】
2011175671.tif 000054
【図５３】
2011175671.tif 000055
【図５４】
2011175671.tif 000056
【図５５】
2011175671.tif 000057
【図５６】
2011175671.tif 000058
【図５７】
2011175671.tif 000059
【図５８】
2011175671.tif 000060
【図５９】
2011175671.tif 000061
【図６０】
2011175671.tif 000062
【図６１】
2011175671.tif 000063
【図６２】
2011175671.tif 000064
【図６３】
2011175671.tif 000065
【図６４】
2011175671.tif 000066
【図６５】
2011175671.tif 000067
【図６６】
2011175671.tif 000068
【図６７】
2011175671.tif 000069
【図６８】
2011175671.tif 000070
【図６９】
2011175671.tif 000071
【図７０】
2011175671.tif 000072
【手続補正書】
【提出日】平成23年6月1日(2011.6.1)
【手続補正１】
【補正対象書類名】特許請求の範囲
【補正対象項目名】全文
【補正方法】変更
【補正の内容】
【特許請求の範囲】
【請求項１】
親指以外の指で操作するキーが表面に配置された本体ケースと、
該本体ケース側壁と操作者の前方との間に形成された空間と、
親指に装着される装着具と、
該装着具に配設され、前記空間内で該装着具が上下方向に移動されたことを検出する指動作検出手段と、
該指動作検出手段で検出された前記親指の動作信号を基に左右いずれかまたは両方の親指の上下動を演算する演算手段と、
該演算手段で演算した結果に基づきキー操作、又は、クリック操作を判断するクリック等判断手段とを備えたことを特徴とする情報処理装置。
【請求項２】
親指以外の指で操作するキーが表面に配置された本体ケースと、
該本体ケース側壁と操作者の前方との間に形成された空間と、
親指に装着される装着具と、
該装着具に配設され、前記空間内で該装着具の水平移動を検出する指動作検出手段と、
該指動作検出手段で検出された前記親指の動作信号を基に左右いずれかまたは両方の親指の空間座標位置、移動距離及び移動方向のいずれか少なくとも一つを演算する演算手段と、
該演算手段で演算した結果に基づきポインティングデバイスとしての操作を判断する判断手段とを備えたことを特徴とする情報処理装置。
【手続補正２】
【補正対象書類名】明細書
【補正対象項目名】０００７
【補正方法】変更
【補正の内容】
【０００７】
このため本発明は、親指以外の指で操作するキーが表面に配置された本体ケースと、該本体ケース側壁と操作者の前方との間に形成された空間と、親指に装着される装着具と、該装着具に配設され、前記空間内で該装着具が上下方向に移動されたことを検出する指動作検出手段と、該指動作検出手段で検出された前記親指の動作信号を基に左右いずれかまたは両方の親指の上下動を演算する演算手段と、該演算手段で演算した結果に基づきキー操作、又は、クリック操作を判断するクリック等判断手段とを備えて構成した。
また、本発明は、親指以外の指で操作するキーが表面に配置された本体ケースと、該本体ケース側壁と操作者の前方との間に形成された空間と、親指に装着される装着具と、該装着具に配設され、前記空間内で該装着具の水平移動を検出する指動作検出手段と、該指動作検出手段で検出された前記親指の動作信号を基に左右いずれかまたは両方の親指の空間座標位置、移動距離及び移動方向のいずれか少なくとも一つを演算する演算手段と、該演算手段で演算した結果に基づきポインティングデバイスとしての操作を判断する判断手段とを備えて構成した。
更に、本発明は、表面及び／又は裏面にキーの配設された本体ケースと、該本体ケースに対し一部又はすべてを折り畳み又は重ね合わせることの可能な表示部を有するカバーケースと、該カバーケースを、前記本体ケースに対し折り畳み又は重ね合わせ自在とする第１の折り畳み等手段と、前記本体ケースの側部に配設された補助キーとを備えて構成されてもよい。